(57)【特許請求の範囲】
【請求項１】
可視電磁スペクトルの赤色帯域内の光を発するようそれぞれ動作可能な複数の光源素子を備える第１の光源アレイと；
可視電磁スペクトルの青色帯域内の光を発するようそれぞれ動作可能な複数の光源素子を備える第２の光源アレイと；
可視電磁スペクトルの緑色帯域内の光を発するようそれぞれ動作可能な複数の光源素子を備える第３の光源アレイとを備え；
前記第１、第２および第３の光源アレイは、基板上のそれぞれの実質的に平行な概念線に沿って略直線的に編成され、前記第１、第２および第３の光源アレイはそれぞれ、帯状光を発するよう動作可能であり；
前記各光源アレイは、その一端または両端に所定数の光源素子を備え、前記所定数の光源素子は、前記光源アレイの通電時に、前記光源アレイの第１の光源アレイが発する帯状光が、前記光源アレイの第２の光源アレイが発する帯状光から前記概念線のそれぞれに沿って直線的にオフセットされるように、通電されないよう編成されている；
光学式プリンタ用の照射装置。
【請求項２】
各前記光源アレイの前記複数の光源素子は、前記複数のうちのそれぞれの隣接光源素子が、前記概念線のそれぞれに対して互いにオフセットされるように編成されている；
請求項１に記載の光学式プリンタ用の照射装置。
【請求項３】
前記複数のうちのそれぞれの隣接光源素子が、前記概念線のそれぞれのいずれかの側に互いにオフセットされている；
請求項１または請求項２に記載の光学式プリンタ用の照射装置。
【請求項４】
前記各光源素子は発光強度プロファイルを有し、前記アレイのそれぞれの隣接光源素子は、第１の光源素子の発光強度プロファイルが第２の光源素子の発光強度プロファイルと重なり、その重なりが、前記光学式プリンタにより写真用の媒体上に印刷された前記第１および第２の光源素子に起因する画像の素子が解像不能な程度となるように編成されている；
請求項１乃至請求３のいずれか１項に記載の光学式プリンタ用の照射装置。
【請求項５】
隣接した光源素子間の重なりの程度が、前記各光源アレイについて実質的に一定である；
請求項４に記載の光学式プリンタ用の照射装置。
【請求項６】
前記光源素子は、それぞれの隣接光源素子対の前記発光強度プロファイルの重なりが、２０パーセント未満となるように編成されている；
請求項４または請求項５に記載の光学式プリンタ用の照射装置。
【請求項７】
前記光源素子は、それぞれの隣接光源素子対の前記発光強度プロファイルの重なりが少なくとも２パーセントとなるように編成されている；
請求項６に記載の光学式プリンタ用の照射装置。
【請求項８】
それぞれの光源アレイの前記各光源素子を電源に接続するための電気回路構成と、前記光源素子に通電するための制御手段とを備える；
請求項１乃至請求項７のいずれか１項に記載の光学式プリンタ用の照射装置。
【請求項９】
前記電気回路構成が前記基板上に印刷されている；
請求項８に記載の光学式プリンタ用の照射装置。
【請求項１０】
前記電気回路構成が前記基板の第１の側に印刷されるとともに前記光源素子が前記基板の反対の第２の側に搭載され、前記光源素子は、前記基板を通過するそれぞれの電気経路により前記電気回路構成に接続されている；
請求項９に記載の光学式プリンタ用の照射装置。
【請求項１１】
前記電気回路構成が、前記第１、第２および第３の光源アレイのそれぞれに個々に通電できるように構成されている；
請求項８乃至請求項１０のいずれか１項に記載の光学式プリンタ用の照射装置。
【請求項１２】
前記光源素子が発光ダイオードであるＬＥＤ発光素子を備える；
請求項１乃至請求項１１のいずれか１項に記載の光学式プリンタ用の照射装置。
【請求項１３】
前記基板が、隣接した前記光源アレイ間の光反射を低減するように構成されている；
請求項１乃至請求項１２のいずれか１項に記載の光学式プリンタ用の照射装置。
【請求項１４】
前記基板が、前記光源アレイの隣接した光源素子間の光反射を低減するように構成されている；
請求項１２または請求項１３に記載の光学式プリンタ用の照射装置。
【請求項１５】
前記基板が、少なくとも前記光源素子が搭載された側において、実質的に無反射になされている；
請求項１２乃至請求項１４のいずれか１項に記載の光学式プリンタ用の照射装置。
【請求項１６】
前記各ＬＥＤ光源素子が、光学透過性材料により保護のためカプセル封入されている；
請求項１２乃至請求項１５のいずれか１項に記載の光学式プリンタ用の照射装置。
【請求項１７】
前記照射装置から発せられた光が所定の特性を有するように、１つ以上の前記光源アレイによる照射のために編成された１つ以上の光学フィルタを備える；
請求項１２乃至請求項１６のいずれか１項に記載の光学式プリンタ用の照射装置。
【請求項１８】
前記１つ以上の光学フィルタは、前記第１、第２および第３の各光源アレイにそれぞれ関連する第１、第２および第３のフィルタを備える；
請求項１７に記載の光学式プリンタ用の照射装置。
【請求項１９】
前記第１、第２および第３のフィルタの１つ以上が帯域通過フィルタを備える；
請求項１８に記載の光学式プリンタ用の照射装置。
【請求項２０】
前記フィルタの１つ以上は、前記フィルタの他の１つ以上よりも光学透過性が低く、それにより前記照射装置から発せられた前記光学透過性が低いフィルタに関連する前記光源アレイに起因する光の成分の相対強度を低下させる；
請求項１８または請求項１９に記載の光学式プリンタ用の照射装置。
【請求項２１】
前記光学透過性が低い光学フィルタが前記第２の光源アレイに関連する；
請求項１９に記載の光学式プリンタ用の照射装置。
【請求項２２】
更に、前記フィルタと前記ＬＥＤ発光素子との間に設けられた光学透過性媒体を備え；
前記ＬＥＤ光源素子が、光学透過性材料により保護のためカプセル封入されている；
請求項１７乃至請求項２１のいずれか１項に記載の光学式プリンタ用の照射装置。
【請求項２３】
前記光学透過性媒体が流体媒体を備える；
請求項２２に記載の光学式プリンタ用の照射装置。
【請求項２４】
更に、複数の開口が設けられたマスクを備え、前記開口は、前記マスクを前記光源アレイの前に配置したとき前記光源素子と概ね一致するように編成されている；
請求項１３乃至請求項２３のいずれか１項に記載の光学式プリンタ用の照射装置。
【請求項２５】
請求項１乃至請求項２４のいずれか１項に記載の光学式プリンタ用の照射装置と；
受光面を有する光ファイバーライトパイプであって、前記照射装置の前記光源アレイからの光を前記受光面で受けるよう編成されているライトパイプとを備え；
前記ライトパイプは更に、前記光源アレイからの光を伝達して写真用の媒体に照射するための光伝達面と、前記受光面が前記光伝達面よりも実質的に大きい表面積を有するように前記受光面と前記光伝達面との間に設けられたテーパ状領域を備える；
印刷ヘッド。
【請求項２６】
前記照射装置が、前記光ファイバーライトパイプの前記受光面に当接している；
請求項２５に記載の印刷ヘッド。
【請求項２７】
前記照射装置と前記ライトパイプの前記受光面との間に設けられた光学透過性媒体を備える；
請求項２６に記載の印刷ヘッド。
【請求項２８】
前記光学透過性媒体が流体媒体を備える；
請求項２７に記載の印刷ヘッド。
【請求項２９】
前記印刷ヘッドが更に、前記ライトパイプの前記受光面に到達する周辺光を低減するための手段を備える；
請求項２６乃至請求項２８のいずれか１項に記載の印刷ヘッド。
【請求項３０】
前記当接した照射装置およびライトパイプが、前記ライトパイプの前記発光面を覆わない実質的に無反射の媒体により覆われている；
請求項２９に記載の印刷ヘッド。
【請求項３１】
請求項２５乃至請求項３０のいずれか１項に記載の印刷ヘッドを備え；
前記印刷ヘッドと使用中に写真用の媒体が沿うように搬送される搬送面との間に設けられた光学レンズリレーを備える；
光学式プリンタ用の印刷ヘッドアセンブリ。
【請求項３２】
前記レンズリレーが複数のレンズを備える；
請求項３１に記載の印刷ヘッドアセンブリ。
【請求項３３】
前記光学レンズリレーは、前記発光面から使用中に前記搬送面に沿って搬送される写真用の媒体へ対称的な１：１の光伝搬を提供するように構成および編成されている；
請求項３１または請求項３２に記載の印刷ヘッドアセンブリ。
【請求項３４】
前記光学レンズリレーは、前記発光面から使用中に前記搬送面に沿って搬送される写真用の媒体へ非対称的な光伝搬を提供するように構成および編成されている；
請求項３１または請求項３２に記載の印刷ヘッドアセンブリ。
【請求項３５】
前記光学レンズリレーは、前記印刷ヘッドの前記発光面により照射される前記写真用の媒体の面積を増加または減少させるように構成および編成されている；
請求項３４に記載の印刷ヘッドアセンブリ。
【請求項３６】
前記光学レンズリレーは、前記発光面から前記写真用の媒体へ、ユーザにより選択可能な対称的または非対称的な光伝搬を提供するよう構成および編成されている；
請求項３１または請求項３２に記載の印刷ヘッドアセンブリ。
【請求項３７】
前記発光面と前記搬送面との間における前記光学レンズリレーの位置が、ユーザにより調整可能である；
請求項３６に記載の印刷ヘッドアセンブリ。
【請求項３８】
前記発光面から前記写真用の媒体へ１：１の対称的な光伝搬を提供するように構成された第１の光学レンズリレーと；
それぞれが異なる非対称的な光伝搬を提供する複数の他の光学リレーとを備え；
前記第１のリレーおよび前記複数の他のリレーは、前記発光面と前記キャリア表面との間に選択的に挿入可能である；
請求項３６に記載の印刷ヘッドアセンブリ。
【請求項３９】
請求項１乃至請求項２４のいずれか１項に記載の照射装置を少なくとも１つ備える；
光学式プリンタ。
【請求項４０】
請求項２５乃至請求項３０のいずれか１項に記載の印刷ヘッドを備える；
光学式プリンタ。
【請求項４１】
請求項３１乃至請求項３８のいずれか１項に記載の印刷ヘッドアセンブリを少なくとも１つ備える；
光学式プリンタ。
【発明の詳細な説明】
【技術分野】
【０００１】
本発明は、一般に、光学式プリンタの改良に関する。本明細書で後に詳述する好適な実施の形態の幾つかは、光学式プリンタ用の照射装置に関する。別の実施の形態は、光学式プリンタ用の印刷ヘッドに関し、光学式プリンタ用の印刷ヘッドアセンブリに関する。
【０００２】
追加の実施の形態は、光学式プリンタの較正に関連し、更なる実施の形態は、光学式プリンタ用の搬送機構に関する。これらの構成の１つ以上を組み込んだ光学式プリンタも開示する。
【背景技術】
【０００３】
光学式プリンタとは、デジタル式に格納された画像を光に変換し、この光を感光媒体に投影して画像を形成可能な装置である。光学式プリンタは元々、電子回路基板にフォトレジストマスクを形成するのに使用されており、露光が「オン」または「オフ」のいずれかであったため製造が比較的容易であった。
【０００４】
本特許で説明する各種光学式プリンタは、主に写真画像の生成に対しに設計したものである。ただし、本発明の教示は、写真画像の生成に限定されない。
【０００５】
光学式プリンタは、物質（レーザプリンタの場合はトナー、インクジェットプリンタの場合はインク）を媒体上に堆積させないという点で、レーザプリンタおよびインクジェットプリンタとは異なる。その代わり、媒体を露光し、その後化学的に処理する。したがって、これを「プリンタ」と呼ぶのは誤称（このような装置は実際、媒体上に何も、従来の単語の意味での「印刷」はしないため）のようなものであるが、本明細書に記載の種類の装置は、当該技術分野で一般にプリンタとして知られている。
【０００６】
写真用の媒体（例えば、印画紙）では画像の各画素の強度を変更できるため、写真画像は、通常、インクまたはレーザジェット画像よりも高画質であると考えられている。インクまたはレーザジェットプリンタは、そこにある、またはそこにない物質を堆積させる。このため、同等の品質を達成するのに、インクまたはレーザジェットプリンタの見かけ上の解像度（インチ当たりのドット、すなわちＤＰＩ）は、写真プリンタの解像度よりも相当高くする必要がある。
【０００７】
数種類の光学式写真プリンタが市販されており、それらはレーザ、液晶マスク、マイクロミラーおよび発光ダイオードを含む各種の露光機構を用いている。
【０００８】
図１は、光学式プリンタの典型的なコンポーネントの概要図である。図示のように、プリンタは媒体キャニスタを備え、媒体キャニスタから、連続的な未露光の写真用の媒体片（印画紙等）が引き出される。媒体は、高精度メカトロニクスである媒体搬送装置によりキャニスタから引き出される。媒体搬送装置は、媒体を印刷ヘッドに供給し、媒体を印刷ヘッドに対して位置決めする。印刷ヘッドは、複数の光学素子（発光ダイオード等）を備える。光学素子は、通電することにより発光し、この光により印刷ヘッドの直下に位置する媒体の領域が露光される。
【０００９】
印刷ヘッドを媒体上で移動することにより、媒体は帯状に露光される。印刷ヘッドには、制御システムによりデータが送られる。制御システムは、媒体が所望の最終画像に従って露光されるように、通電すべき要素の正確な組み合わせを配置して媒体を露光する。
【００１０】
露光された媒体は、媒体搬送装置によりカッターへ送られ、カッターは、媒体の露光部分を切断して残りの未露光の媒体から切り離すよう作動する。次いで、露光された媒体片は、化学現像装置に送られて現像される。現像プロセスにより媒体上に画像が現れ、完成した印刷画像が出力される。
【００１１】
図示のように、システムの要素のそれぞれは、制御システムにより慎重に制御される。制御システムは、適切なソフトウェアを実行するパーソナルコンピュータ、専用電子回路、またはこれら２つの組み合わせを備えていてもよい。
【００１２】
すべてのプリンタにとって、印刷可能な解像度が重要な課題である。特にインクジェットプリンタの分野では、基板（通常は紙）上に印刷可能なインチ当たりのドット数を改良するため、多大な努力が行われてきた。光学式プリンタでは、達成可能な解像度を制限する主たる要因は、写真用の媒体に入射する光を発生させるのに用いる照射装置のサイズである。
【００１３】
本出願人の従来の特許（欧州特許第１２２８６３３号）では、基板１５上に搭載された３アレイのＬＥＤ（発光ダイオード）照射素子１４（１カラムの赤色ＬＥＤ２０、１カラムの緑色ＬＥＤ２１、および１カラムの青色ＬＥＤ２２）を備える照射装置（以下、図２（ａ）および図２（ｂ）により説明する）が開示されている。照射装置は、通電時にテーパ状の光ファイバーライトパイプ１０の受光面１３に向けて発光するように構成されている。ライトパイプは、受光面で受けた光をＬＥＤから、受光面よりも表面積が小さい発光面（図示せず）に搬送する。発光面が発した光は、写真用の媒体（印画紙等）に入射して画像を生成する。図２（ａ）に示すように、ＬＥＤは、基板上で平行なカラム状に搭載され、（図２（ｂ）に示すように）各カラムのＬＥＤは、必要な電気的接続を行うことができるよう隣接するＬＥＤから離間されている。
【００１４】
本特許で説明するように光ファイバーライトパイプをテーパ化することにより、照射装置により写真用の媒体上に発生する照射「スポット」のサイズが（照射装置が写真用の媒体を直接照射する場合に現れるものよりも）縮小され、これにより得られる写真画像の光学解像度を向上させることができる。
【発明の概要】
【発明が解決しようとする課題】
【００１５】
この構成により従来の光学式プリンタで達成可能な解像度が大幅に向上したが、その一方で、より高解像度の画像に対する要望が市場に存在している。この市場の必要性に応えるため、本発明者らは、照射装置の物理サイズの更なる縮小により、達成可能な解像度の更なる向上を試みた。しかし、照射装置の物理サイズを縮小するという本発明者らの試みは、特に、照射装置を構成する赤色、緑色および青色の各アレイの発光素子（通常はＬＥＤ）の物理サイズにより、および素子を電源に接続するために必要な素子間のスペースにより、阻害されていた。
【００１６】
本発明の第１の態様は、発光素子の最小物理サイズの制約下で照射装置のサイズ、およびこれらの素子を電源へ連結するために必要なスペースを、如何に縮小するかという技術的問題の解決を探求するものである。
【００１７】
本発明の第２の態様は、印刷画像の品質、特に、人間の目により知覚される画像品質に関連する問題への対処に関連するものである。
【００１８】
本発明者らの先行特許などで開示されている従来提案されていた装置では、画像を写真用の媒体上に形成する際に連続した印刷帯状体の接合部に生じる所謂「バンディング」効果により、画像品質が悪影響を受ける可能性があることに本発明者らは気付いた。
【００１９】
図２（ｃ）に概略的に示すように、写真用の媒体１（通常は印画紙のロールを備える）は、印刷装置においてＡ方向に搬送される。照射装置３（赤色、緑色、青色の発光素子アレイ５から構成される）を地点Ｂから地点Ｃへ移動することにより、装置直下の写真用の媒体の帯状体を照射し、最終画像の一部を生成する。既に説明したように、素子からの光は、照射装置と写真用の媒体１との間に設けられたテーパ状のライトパイプ（このため図２（ｃ）においてライトパイプは不可視である）の受光面に入射し、受光面よりも相当小さい光伝達面を介してライトパイプから出射する。これにより、アレイが直接写真用の媒体を照射する場合よりもはるかに小さい面積の写真用の媒体が照射される。次いで、照射装置は、地点Ｃから地点Ｂへ戻り、写真用の媒体は、テーパ状のライトパイプの上述の発光面の長さと実質的に等しい（かつ照射装置の長さより短い）距離Ｘだけ送られる。次いで照射装置を地点Ｂから地点Ｃへ移動し、画像の次の帯状体を印刷する。
【００２０】
この構成は上手く作用するものの、連続した帯状体の印刷間における紙の送り量の一見深刻でない誤差や、その他の変則的動作のため、最終画像が悪影響を受ける可能性がある。例えば、紙の送り量がＸよりも長いと、連続した帯状体間に検出可能な間隙（白色の線として可視）が発生し、紙の送り量がＸよりも短いと、帯状体が重なる領域に写真用の媒体の露出過多（著しく濃色の帯として可視）が生じる。
【００２１】
上述の本発明の第２の態様は、印刷画像の品質、特に、人間の目により知覚される画像品質を、如何に改良するか（特に、上記の「バンディング」効果などの影響を如何に低減するか）という技術的問題の解決を探求するものである。
【００２２】
本発明の第３の態様は、照射装置の構造、およびその照射装置を組み込んだ印刷ヘッドに関連する。
【００２３】
本発明者らが過去に提案した照射装置は、本質的に図２（ｂ）に示すとおりであり、個々の発光素子１４が搭載された基板１５を備える。基板は、次いで、ＬＥＤおよびＬＥＤへの電気的接続３４を保護するため、透明層３３内にカプセル封入される。照射装置は、テーパ状の光ファイバーライトパイプ１０から離間されている。透明層またはライトパイプ１０の受光面１３には、反射防止層３２を追加してもよい。
【００２４】
この過去に提案された照射装置は適切に機能したものの、最終画像の品質が、隣接ＬＥＤ素子間のクロストーク、ならびに赤色、緑色および青色のアレイの相対強度の変動により悪影響を受ける可能性がある、ということに本発明者らは気付いた。また、（最終画像における収差を回避するためには）照射装置と光ファイバーライトパイプとの間の間隙を厳密に制御しなければならず、このような制御を実際に行うことは困難である。
【００２５】
本発明の第３の態様は、このような問題の解決を探求するものである。
【００２６】
本発明の第４の態様は、最終画像の品質を向上させるための光学式プリンタの較正に関連する。
【００２７】
光学式プリンタ、特に光源にＬＥＤを用いるプリンタに対する不変の問題には、光源の特性が１つ１つ大幅に変動するというものがある。例えば、特定色の任意の２つのＬＥＤを同じ電流で駆動した場合、それらが発する光の強度プロファイルと波長プロファイルとの両方が、著しく変動することになる。このようなＬＥＤ間の変動は、最終印刷画像の帯状体における線として現れる可能性がある。また、発光ダイオードには、入力電圧の変動に対してその出力強度と波長との両方が非線形に変動する傾向がある。複合的な問題として、特定の印刷に用いる写真用の媒体（通常は印画紙）が、その印刷の品質に直接影響するということと、更に所与の印画紙の特性が、通常、他種の印画紙の特性とはまったく異なることがある。
【００２８】
最終画像の品質を改良するには、これらの各種の変動のすべてに対処しなければならない。この目的のために、一連のフォトセルを写真用の媒体として用い、それらのフォトセルの出力を光源素子にフィードバックすることにより、それらの素子の出力を調整し、印画紙への照射を一様にすることが可能だろう、とかつては考えられていた。
【００２９】
しかし、この方法は一見、前述の問題を軽減する魅力的な手段であるかのように思えるが、残念ながらフォトセルは、印画紙などの写真用の媒体に対する応答が大きく異なり、そのためシステムをフォトセルセットに対して最適に調整しても、それが必ずしも印画紙への印刷に適した設定になるとは限らない。
【００３０】
本発明の第４の態様は、これらの問題に対処するもので、一般的な言葉で言えば、プリンタにより印刷された１つ以上の処理画像からそのプリンタを較正するという考えに関するものである。画像には上述のあらゆる変動が当然組み込まれており、そのため画像に対して較正することにより必然的にこのようなあらゆる変動に対処することになるため、この手法は有益である。
【００３１】
本発明の第５の態様は、写真用の媒体の搬送機構の改良に関連するものである。
その搬送機構についての特定の要件として、プリンタが高解像度を達成したり高品質の出力を提供したりできるように、写真用の媒体の移動公差が数ミクロン程度、典型的には概ね４ミクロンとなるように、搬送機構のコンポーネントを慎重に設計し、制御しなければならないことがある。つまり、写真用の媒体をプリンタにおいて所与の距離だけ移動させることが所望される場合、搬送機構のメカトロニクスは、実際の搬送距離が所望の距離プラスマイナス数ミクロン（例えば４ミクロン）以内となるようなものでなければならない。
【００３２】
当該技術に精通する者であれば理解するであろうことが疑いないように、実際の搬送距離が所望の距離よりも大きい場合は、最終画像に可視の白色の帯が現れる可能性がある。同様に、所望の距離に対する搬送距離の不足が４ミクロンを超える場合は、画像の隣接帯状体の重なりが目に見えて分かる程度となり、最終画像が台無しになる。したがって、搬送機構の設計は、写真用の媒体を高度に正確に搬送できるものであることが必須であり、本発明の第５の態様は、この問題に対処するものである。
【００３３】
本発明の第６の態様も、光学式プリンタにおける写真用の媒体の搬送に関するものである。本発明のこの態様は、写真用の媒体のスループットを高めたプリンタを考案できたとしたら有益であろう、という本発明者らが認識した事実に関するものである。このようなプリンタが異なるサイズの写真用の媒体に容易に対応できたとしたら、それもまた有益であろう。
【００３４】
写真用の媒体のスループットを向上させる比較的簡単な方法の１つは、光学ヘッドアセンブリが写真用の媒体上で移動する速度を増加させるというものであろう。しかし、かかる手法では、それほどの速度増加は達成されない。というのもヘッドは、写真用の媒体上の所与の点を画像形成に必要な量の光学エネルギーに露光するため、（所与の写真用の媒体および光源から発せられた所与の光出力について）最低限の一定時間だけその点の上に留まらなければならないためである。したがって、最終画像の品質に悪影響を与えることなしに、ヘッドが写真用の媒体上の所与の点上に留まる時間がこの最低限の一定時間未満となる程度まで、ヘッドの速度を増加させることはできない。本発明の第６の態様は、これらの問題に対処するものである。
【課題を解決するための手段】
【００３５】
本発明の態様の目的は、上述の問題の１つ以上に対処することである。
【００３６】
この目的を達成するため、本発明の第１の態様は、可視電磁スペクトルの赤色帯域内の光を発するようそれぞれ動作可能な複数の光源素子を備える第１の光源アレイと；可視電磁スペクトルの青色帯域内の光を発するようそれぞれ動作可能な複数の光源素子を備える第２の光源アレイと；可視電磁スペクトルの緑色帯域内の光を発するようそれぞれ動作可能な複数の光源素子を備える第３の光源アレイとを備え；前記第１、第２および第３の光源アレイは、基板上のそれぞれの実質的に平行な概念線に沿って略直線的に編成され、前記各アレイの前記複数の光源素子は、前記複数のうちのそれぞれの隣接光源素子が、関連する概念線に対して互いにオフセットされるように編成されている、光学式プリンタ用の照射装置を提供する。
【００３７】
基板上で光源アレイを概念上の平行線に沿って編成するとともに、各アレイの個々の素子を関連する概念線に対してオフセットすることにより（実際には、鋸歯状の発光素子アレイを提供することにより）、上述の概念線に対して水平な方向において発光素子を、図２（ａ）に示す従来技術の編成におけるよりも接近させて編成することができる。このように素子をより接近させた状態で配置することにより、それぞれの素子に起因する最終画像の個々の成分の間隔を狭め、その画像の解像度を向上させることができる。
【００３８】
１つの特に好適な編成では、基板上の関連する概念線に対する各素子のオフセットは、各アレイにおける隣接素子の発光プロファイルが、隣接ＬＥＤ素子に起因し光学式プリンタにより写真用の媒体上に印刷される画像の素子が容易には（例えば、拡大することなしには）解像されない程度に重なるように構成される。
【００３９】
本発明の第２の態様は、可視電磁スペクトルの赤色帯域内の光を発するようそれぞれ動作可能な複数の光源素子を備える第１の光源アレイと；可視電磁スペクトルの青色帯域内の光を発するようそれぞれ動作可能な複数の光源素子を備える第２の光源アレイと；可視電磁スペクトルの緑色帯域内の光を発するようそれぞれ動作可能な複数の光源素子を備える第３の光源アレイとを備え；前記第１、第２および第３の光源アレイは、基板上のそれぞれの実質的に平行な概念線に沿って略直線的に編成され、前記第１、第２および第３の光源アレイはそれぞれ、帯状光を発するよう動作可能であり、前記印刷ヘッドは、前記光源アレイの第１のアレイが通電時に、前記光源アレイの隣接した第２のアレイが通電時に発する帯状光から関連する概念線に沿って直線的にオフセットされた帯状光を発するように構成されている、光学式プリンタ用の照射装置を提供する。
【００４０】
この構成を採用することにより、（例えば）赤色アレイによる写真用の媒体の照射により発生する最終画像の隣接コンポーネント間の接合部が、緑色および青色のアレイに起因するその画像の隣接コンポーネント間の接合部とは異なる写真用の媒体上の場所に生じることになる。この構成によれば、３つのアレイのうちの１つに起因する最終画像のコンポーネント間の接合部が、その他の２つのアレイに起因するコンポーネント間の接合部とは絶対に一致しない。
【００４１】
実際には、かかる構成を採用することにより、３つのアレイについての画像帯状体間の接合部におけるエラーが（上述の特許にて開示した装置におけるように）複合されることはなく、１つのアレイについてそのアレイに起因する画像帯状体間の接合部にエラーが生じても、そこではその他のアレイに起因するコンポーネントのエラーが生じるはずはなく、従って３つのアレイのすべてを位置合わせした場合よりもエラーが人間の目で知覚されにくくなる。
【００４２】
本発明の第３の態様は、可視電磁スペクトルの赤色帯域内の光を発するようそれぞれ動作可能な複数の光源素子を備える第１の光源アレイと；可視電磁スペクトルの青色帯域内の光を発するようそれぞれ動作可能な複数の光源素子を備える第２の光源アレイと；可視電磁スペクトルの緑色帯域内の光を発するようそれぞれ動作可能な複数の光源素子を備える第３の光源アレイと；前記第１、第２および第３の光源アレイが搭載された第１の表面を有する基板であって、前記第１の表面は、隣接した光学素子アレイ間の光反射を低減するように構成されている基板と；（任意ではあるが）前記光源素子アレイの前に配置されているマスクマスクであって、複数の開口が内部に設けられ、前記開口が前記アレイの光源素子と概ね一致することにより前記アレイからの光が前記マスクを透過できるように配置されているマスクとを備える、光学式プリンタ用の照射装置を提供する。
【００４３】
本発明のこの態様は、隣接アレイ間のクロストークが基板の第１の表面により低減され、アレイの隣接素子間および隣接アレイの素子間のクロストークがマスクにより低減されるため、有益である。これはつまり、所与の素子について、アレイのその部分から来る光（かかる光はテーパにおいてファイバー群を照射する）のより多くの成分が、（隣接した素子またはアレイから反射した光とは異なり）実際にその素子に起因する、ということである。
【００４４】
本発明の第４の態様は、複数の光源素子をそれぞれ備える複数の光源アレイを有する光学式プリンタを較正する方法であって、（ａ）前記プリンタを制御し、所定のテストパターンを第１の写真用の媒体上に印刷するステップと；（ｂ）前記テストパターンを電子的にスキャンしデジタル化し、前記第１の写真用の媒体上に印刷するステップと；（ｃ）前記デジタル化し印刷されたテストパターンを処理し、前記複数のアレイの各前記光源素子に対し、その素子により発っせられた光の強さの測定値を判定するステップと；（ｄ）各前記光源素子に対し調整因数を判定し、前記調整因数によって、その素子が一部を形成する前記アレイの全ての素子が実質的に同じ光出力を有することになる場合、その素子の光出力を調整するステップと；（ｅ）較正テーブルに前記調整因数を組み込むステップと；（ｆ）前記プリンタを制御し、前記較正テーブルに表示された対応する調整因数により、前記アレイの光源素子の各々の光出力を調整するステップと；（ｇ）前記プリンタを操作し、前記第１の写真用の媒体と同一の前記第２の写真用の媒体上に、前記所定のテストパターンを増刷するステップと；（ｈ）前記写真用の媒体上に印刷された前記所定のテストパターンが、所定の基準セットを満たし、許容可能な品質であると判定されるまでステップ（ａ）乃至（ｇ）を反復的に繰り返すステップとを備える、方法を提供する。
【００４５】
本発明の第５の態様は、光学式プリンタ用の搬送機構であって：写真用の媒体を搬送するための搬送ローラであって、前記搬送ローラの外側表面の少なくとも一領域が、写真用の媒体を把持するとともに前記搬送機構を通って印刷ヘッドアセンブリに向けて引くように構成されている、搬送ローラと；写真用の媒体を前記搬送ローラに対して押圧することにより、前記搬送ローラにより前進させる際に前記媒体が滑る可能性を低減するよう構成された押圧ローラと；少なくとも１つの格納キャニスタから前記押圧ローラおよび搬送ローラに写真用の媒体を案内するための案内手段と；前記搬送ローラを回転させるように構成されたステッパモータと；前記搬送ローラの回転を検出するとともにその回転を表す信号を生成する手段と；前記搬送ローラを駆動して前記搬送機構を通って所定の距離だけ媒体を前進させるよう前記ステッパモータを制御し、前記信号から前記ローラが回転した距離の測定値を導出し、前記測定された距離が前記所定の距離と等しい場合に前記ステッパモータを制御して前記ローラの回転を停止させるよう構成されたコントローラとを備える；搬送機構を提供する。
【００４６】
一実施の形態において、本発明の第６の態様は、別々の媒体のそれぞれを通過させることにより光源による露光が可能な複数の印刷チャネルを画成するよう構成および編成され、別々の媒体片を前記チャネルの２つ以上を通過させて前記光源により露光させることにより各媒体片上に画像を形成できるように、または単一の媒体片を前記チャネルの２つ以上を同時に通過させて前記光源により露光させることにより前記単一の媒体片上に単一の画像を形成できるように構成可能である、光学式プリンタ用のコンポーネントを提供する。
【００４７】
他の実施の形態において、本発明の第６の態様は、別々の媒体片を同時に通過させることが可能な少なくとも２つの印刷チャネルと、１つの印刷パスにおいて各前記チャネルにおける媒体片を露光させることにより各媒体片上に画像を形成できるよう構成された少なくとも１つの光学式印刷ヘッドとを有する、光学式プリンタ用のコンポーネントを提供する。
【００４８】
本発明の他の態様は、別々の媒体を同時に通過させることが可能な少なくとも２つの印刷チャネルと、１つの印刷パスにおいて各前記チャネルにおける媒体を露光させることにより各媒体上に画像を形成できるよう構成された少なくとも１つの光学式印刷ヘッドとを有する、光学式プリンタ用の照明装置に関連する。
【００４９】
本発明の他の態様は、それぞれの概念線に沿って互いに直線的にオフセットされるように基板上でそれぞれの概念線に沿ってそれぞれ編成されたそれぞれ赤色、緑色および青色の照射素子アレイを備える光学式プリンタ用の照射装置であって、前記編成は、写真用の媒体の隣接帯状体を露光させるように前記照射装置を動作させたときに帯状体間に間隙が生じた場合、前記アレイのいずれか１つにより露光された前記写真用の媒体の領域間に間隙が存在する前記写真用の媒体の第１の領域が、前記アレイのその他のものにより露光された前記写真用の媒体の領域間に間隙が存在する前記写真用の媒体の第２および第３の領域と一致しないように成されている、光学式プリンタ用の照明装置に関連する。
【００５０】
本発明の最後の態様は、光学式プリンタを前記プリンタにより印刷された画像から較正する方法であって：（ｉ）前記プリンタの印刷ヘッドの各光学素子により前記画像になされた貢献を査定するステップと；（ｉｉ）各素子による貢献が互いに等しい状態に近づくように、前記プリンタで行う次の印刷のため各素子の貢献を調整するステップと；（ｉｉｉ）次の画像を印刷するステップと；（ｉｖ）前記画像が許容可能であるか判断するステップと；（ｖ）前記画像が許容可能でない場合、印刷された画像が許容可能であると判定されるまでステップ（ｉ）乃至（ｉｖ）を反復するステップとを含む方法に関連する。
【００５１】
本発明の前述の態様のその他の特長および利点は、下記の好適な実施の形態の詳細な説明および本願のそれ以外の記載において述べる。
【図面の簡単な説明】
【００５２】
例示により、および以下の添付図面を参照して、本発明の種々の好適な実施の形態を説明する。
【００５３】
【図１】図１は、例示的な光学式プリンタの概要図である。
【図２（ａ）】図２（ａ）は、本発明者らの関連欧州特許に開示されている光学照射装置の概要図である。
【図２（ｂ）】図２（ｂ）は、図２（ａ）に示す装置の別図である。
【図２（ｃ）】図２（ｃ）は、画像の連続した帯状体を露光するために照射装置が写真用の媒体上を移動する様子を示す。
【図３】図３は、３つの実施の形態のうちの１つの実施の形態に従った照射装置上の光学素子の構成を示す。
【図４】図４は、３つの実施の形態のうちの１つの実施の形態に従った照射装置上の光学素子の構成を示す。
【図５】図５は、３つの実施の形態のうちの１つの実施の形態に従った照射装置上の光学素子の構成を示す。
【図６】図６は、照射装置の断面概要図である。
【図７】図７は、印刷ヘッドアセンブリの概要図である。
【図８】図８は、照射較正方法の工程を示すフロー図である。
【図９（ａ）】図９（ａ）は、例示的なテストパターンの概要図である。
【図９（ｂ）】図９（ｂ）は、図９（ａ）の部分拡大図である。
【図１０】図１０は、ＬＥＤの色と印画紙上の対応画像の色との関係を示すチャートである。
【図１１】図１１は、光学式プリンタ用の搬送機構の概要図である。
【図１２】図１２は、光学式プリンタの写真用の媒体を搬送、処理および切断するコンポーネントの（写真用の媒体投入側から見た）斜視概要図である。
【図１３】図１３は、写真用の媒体排出側から見た図１２のコンポーネントの斜視概要図である。
【図１４】図１４は、別方向から見た図１２に示すコンポーネントの斜視概要図である。
【発明を実施するための形態】
【００５４】
本発明の種々の好適な実施の形態を詳細に説明する。下記の説明は、例示のみを目的とするものであり、何らの点において本発明の適用範囲を限定するものと解釈すべきではない。以下で説明する特定の実施の形態には、数多くの修正および改変を施すことが可能であることが理解されよう。かかる修正および改変はすべて、本発明の適用範囲に含まれることをここで留意されたい。例えば、以下の説明ではアレイの個々の照射素子が発光ダイオードであるとしているが、様々な異なる種類の照射装置で代用することが可能であり、本明細書におけるＬＥＤへの言及は本発明の適用範囲を限定するものと解釈すべきではないことが、当該技術において通常の技能を有する者には直ちに明白となろう。
【００５５】
本明細書で用いる「写真用の媒体」という用語は、露光させ、現像することにより画像を生成可能ないずれかの媒体を言う。かかる媒体の例には、印画紙がある。また、「印刷」またはその他の関連する用語を用いる場合、本発明者らはインクなどを媒体上に付着させることを意図していないことに留意されたい。一般に、本願の文脈において「印刷」とは、写真用の媒体を露光させ、現像して画像を得ることを言う。
【００５６】
上述のように、本発明の態様の１つは、照射装置の物理サイズを縮小することにより光学式プリンタで達成可能な解像度を向上させることに関連するものである。しかし、照射装置の物理サイズを縮小するという本発明者らの試みは、特に、赤色、緑色および青色のＬＥＤの物理サイズにより、および素子を電源に接続するために必要な素子間のスペースにより、阻害されていた。ＬＥＤを、単純に互いに当接させることにより、基板上でより接近させて搭載することが考えられる。しかし、かかる配置は、個々のＬＥＤに通電するために設けなければならない電気配線のためのスペースが不十分になるため、現実的には不可能である。
【００５７】
この問題に対処するため、本発明者らは、図３に示すように、ＬＥＤ１４のアレイ２０、２１および２２を、基板１５上の概念上の平行線３４に沿ったカラム状に配置し、ＬＥＤの各カラムにおいて個々のＬＥＤ１４を、関連する概念線３４（図３の破線）からオフセットさせ、実施において「鋸歯状ＬＥＤ」のアレイとした。
【００５８】
同図に示すように、各アレイ（赤色２０、緑色２１および青色２２）のＬＥＤ１４は、図２（ｂ）に示す従来技術の配置におけるよりも、垂直方向において（配置されているように）より接近させた状態で配置される。このようにＬＥＤ１４をより接近させた状態で配置することにより、それぞれの素子に起因する最終画像の個々の成分の間隔を狭め、最終画像の解像度を向上させることができる。
【００５９】
基板１５上の関連する概念線３４に対する各ＬＥＤ１４のオフセットは、各アレイにおける隣接ＬＥＤ１４の発光プロファイルが、隣接ＬＥＤに起因し光学式プリンタにより写真用の媒体上に印刷される画像の各成分が容易には解像不能な程度に重なるように構成される。これはつまり、画像を普通に見た場合は画像の素子は解像不能であり、画像を数倍に拡大した場合のみ解像可能である、ということである。（図面で言う）垂直方向における隣接ＬＥＤ間の間隔は、ゼロとしてもよい。別の構成では、（垂直方向に）隣接したＬＥＤ間の間隔をゼロ未満とすることにより、隣接ＬＥＤの発光プロファイルのそれぞれが、それらの隣接ＬＥＤに起因し光学式プリンタにより写真用の媒体上に印刷される画像の成分が容易には解像不能な程度に重ならせてもよい。
【００６０】
上述したように、本発明の別の態様は、印刷画像の品質、特に、人間の目により知覚される画像品質に関連する問題への対処に関連するものである。本発明者らの上記先行特許などで開示されている過去に提案されていた装置では、画像を写真用の媒体上に露光する際に連続した印刷帯状体の接合部に生じる所謂「バンディング」効果により、最終画像品質が悪影響を受ける可能性があることに本発明者らは気付いた。例えば、帯状体が重なる領域に写真用の媒体の露出過多（著しく濃色の帯として可視）が生じることに、本発明者らは気付いた。
【００６１】
添付の図４および図５は、そのような問題に対処する２つの構成を示す。これらの各構成では、赤色２０、緑色２１および青色２２のアレイが、互いに線形に（上記概念線３４に沿って）オフセットされている。この構成を採用することにより、（例えば）赤色アレイによる写真用の媒体の露光により発生する最終画像の隣接帯状体間の接合部が、緑色および青色のアレイに起因するその画像の隣接帯状体間の接合部とは異なる写真用の媒体上の場所に生じることになる。この構成によれば、３つのアレイのうちの１つに起因する最終画像の帯状体間の接合部が、その他の２つのアレイに起因する帯状体間の接合部とは一致しにくくなる。
【００６２】
実際には、かかる構成を採用することにより、３つのアレイについての画像帯状体間の接合部におけるエラーが（上述特許にて開示した装置におけるように）複合されることはなく、アレイの一つについてそのアレイに起因する画像の成分間の接合部にエラーが生じても、そこではその他のアレイに起因する成分にエラーが生じにくく、従って３つのアレイのすべてを位置合わせした場合よりもエラーが人間の目で知覚されにくくなる。
【００６３】
上述したように、これらの問題は、一実施の形態（図４に示す）では、３つのアレイ２０、２１、２２を互いに物理的にオフセットすることにより対処できる。別の実施の形態（図５に示す）では、アレイ２０、２１、２２の一端または両端のＬＥＤ１４の選択されたグループが、（それらのＬＥＤを電源に接続しないか、それらのＬＥＤのスイッチを投入しないように選択するかのいずれかにより）点灯されないよう構成することによって、同じオフセット効果を達成する。図５では、点灯されないＬＥＤをクロスハッチングで示している。
【００６４】
アレイ間のオフセットは、プリンタにおいて写真用の媒体を移動するときに生じ得る最大の位置決め距離誤差よりも少しだけ大きいファイバーテーパの発光面におけるアレイ間のオフセット距離を提供する、ファイバーテーパの受光面における距離に対応するように選定するのが好ましい。以下で述べる位置決め誤差が最大で４ミクロン程度である特定の例では、テーパの発光面におけるアレイ間のオフセット距離が、これよりもわずかに大きい（例えば最大６ミクロン）ことが好ましく、照射装置上のアレイ間の実際のオフセットは、発光面におけるオフセット距離（本例では最大６ミクロン）に、（照射装置の概念線に平行な方向において）発光面から受光面までのファイバーテーパにより与えられる倍率に対応する因数を乗算したものとなる。
【００６５】
上述したように、本発明の別の態様は、照射装置の構造、およびその照射装置を組み込んだ印刷ヘッドに関連する。特に、所与の最終画像の品質が、隣接ＬＥＤ間のクロストーク、ならびに赤色、緑色および青色のアレイの相対強度の変動により悪影響を受ける可能性がある、という事実に関連する問題の対処を本発明者らは模索してきた。また、（最終画像における収差を回避するためには）照射装置と光ファイバーライトパイプとの間の間隙の維持を厳密に制御しなければならず、このような制御を実際に行うことは困難である。
【００６６】
かかる問題に対処するため、本発明者らは、図６に示す新規な照射装置の構造を考案した（図６は、基板上の上述の概念線の１つに概ね沿った装置の断面図である）。
【００６７】
図示のように、本発明のこの態様による照射装置４０は、個々のＬＥＤ１４が搭載された基板４２を備える。基板４２は、少なくともＬＥＤ１４が搭載された側において、隣接したＬＥＤアレイ間の光反射を低減し、および／または前記アレイにおける隣接ＬＥＤ間の光反射を低減するように構成されている。
【００６８】
これらの特長は両方とも、基板４２の少なくともこちら側の選択された部分または全体を無反射状態にする−例えば、無反射コーティング（例：黒の塗料）で覆う−ことにより達成でき、基板表面を介したＬＥＤまたはアレイ間の光反射（ひいてはクロストーク）を低減することができる。
【００６９】
ＬＥＤは、素子および素子への電気接続（図示せず）を保護するため、光透過性カプセル材４４、好ましくはポリマーカプセル材に封入されている。カプセル封入されたＬＥＤは、次いで光透過性媒体４６、好ましくは比較的粘度の高い流体媒体により覆われ、その媒体上にフィルタ４８が搭載されている。ＬＥＤを覆う媒体としては、ベビーオイルが特に好適であることが判明している。フィルタとカプセル封入されたＬＥＤとの間に流体媒体を設けることにより、屈折率をマッチングさせることによりＬＥＤ間の反射を低減することができる。
【００７０】
フィルタ４８は、好適な実装において、発光素子の３つのアレイのうちの１つ以上に対して異なっている。フィルタの機能の１つには、各ＬＥＤからの誤った色の露光（色のクロストーク）を低減する帯域通過フィルタとして作用するというものがある。フィルタの第２の機能には、関連する特定のアレイについて要求される場合、すべてのアレイについて光の強度が実質的に等しくなるように発せられた光の一部を吸収するというものがあり、これによりＬＥＤの電子制御が容易になる。これは、青色ＬＥＤアレイの場合に特に当てはまる。青色ＬＥＤは、同様のサイズの赤色または緑色のＬＥＤよりも大きな光強度の有効光を発する傾向があり、ほとんどの写真用の媒体は、青色の波長に対してより敏感な傾向があるためである。これを補うために、青色ＬＥＤと関連するフィルタは、発せられた光の一部を吸収し、またその光を所定範囲の波長に制限する。
【００７１】
開口５２をもつマスク層５０は、開口がＬＥＤに位置合わせされるように（開口はそれぞれ、関連するＬＥＤよりもわずかに大きい）フィルタ層上に搭載される。マスクの設置も、近隣の発光素子間のクロストークの低減に役立つ。
【００７２】
図７は、照射装置４０から構成される印刷ヘッド５４の概要図である。照射装置４０は、ＬＥＤアレイにより発せられた光がテーパ状の光ファイバーライトパイプ５８の受光面５６に入射するように、ライトパイプ５８の受光面５６に当接している。光透過性の流体媒体６０、例えば適切な屈折率をもつ比較的粘度の高い流体を、ＬＥＤアレイとライトパイプ５８との間に設けてもよい。
【００７３】
光は、ライトパイプにより受光面５６から発光面６２へ搬送され、そこから光学レンズリレー６６を介して写真用の媒体６４へ搬送される。リレーは、塵埃のピックアップや、発光面が写真用の媒体を直接照射するため写真用の媒体に非常に接近していた場合に導入される可能性がある収差（例えば、スプレッディング）などの問題を回避するために設けられる。
【００７４】
図示の実施の構成では、リレー６６を対称的に配置する（すなわち、リレーの中心が発光面および写真用の媒体の両方から一定の距離“Ｉ”にある）ことにより、テーパ状のライトパイプ５８の発光面６２から写真用の媒体６４への光伝搬を１：１としている。しかし、写真用の媒体上に現れる画像を縮小または拡大するため、写真用の媒体への光伝搬を非対称にするのが望ましい場合もある。発光面および写真用の媒体に対するレンズリレーの位置は、調整可能であってもよく、ユーザにより調整可能としてもよい。
【００７５】
１つの考えられる構成では、複数の異なるレンズリレー（それぞれ、光伝搬が異なる）をロータ上に構成し、適切なレンズリレーを発光面と写真用の媒体との間の光路に回転させることにより、異なる光伝搬が達成可能である。
【００７６】
好適な構成では、テーパ状のライトパイプおよび基板が無反射カバー６８により覆われ、ライトパイプの発光面だけが露出される。
【００７７】
上記または本願全体での文脈において、変形を行ってもよいことが理解されよう。例えば、帯域通過フィルタの設置を必要としなくてもよい。フィルタが要求されるかまたは望まれる場合、１つ以上の帯域通過フィルタに加え、またはその代わりに、高域または低域フィルタを設けてもよい。また、発光素子が必ずしもＬＥＤでなくてもよい場合もある。その他の光源、例えばレ―ザーダイオードや照射ＬＣＤアレイなどを、代わりに用いてもよい。最後に、図面に示した照射装置は純粋に例示であるということが、当該技術に精通する者には当然理解されよう。実際、各アレイは、添付の図面に図示されているよりも多くの発光素子を備えることになるだろう。
【００７８】
上述のように、光学式プリンタ、特に光源にＬＥＤを用いるプリンタについて不変の問題には、光源の特性が１つ１つ大幅に変動するというものがある。例えば、特定色の任意の２つのＬＥＤを同じ電流で駆動した場合、それらが発する光の強度プロファイルと波長プロファイルとの両方が、著しく変動することになる。このようなＬＥＤ間の変動は、最終印刷画像の帯状体における線として現れる可能性がある。また、発光ダイオードには、入力電圧の変動に伴ってその出力強度と波長との両方が非線形に変動する傾向がある。複合的な問題として、特定の印刷に用いる写真用の媒体（通常は印画紙）が、その印刷の品質に直接影響するということと、更に所与の印画紙の特性が、通常、他種の印画紙の特性とはまったく異なることがある。
【００７９】
最終画像の品質を改良するには、これらの各種の変動のすべてに対処しなければならない。この目的のために、一連のフォトセルを写真用の媒体として用い、それらのフォトセルの出力を光源素子にフィードバックすることにより、それらの素子の出力を調整し、これにより印画紙への照射を一様にすることが可能だろう、とかつては考えられていた。この方法は一見、前述の問題に対する魅力的な解決策であるかのように思えるが、残念ながらフォトセルは、印画紙に対する応答が大きく異なり、そのためシステムをフォトセルセットに対して最適に調整しても、それが必ずしも印画紙への印刷に適した設定になるとは限らない。
【００８０】
これらの問題を緩和するため、本発明者らは、プリンタにより印刷された１つ以上の画像からそのプリンタを較正するという較正方法およびシステムの提供を提案した。最終画像には上述の非線形変動のすべてが当然組み込まれており、そのため画像に対して較正することにより必然的にプリンタにおける非線形変動のすべてに対処することになるため、この手法は有益である。
【００８１】
本発明者らが開発したプロセスは反復プロセスであり、このためプリンタは反復のたびに、現反復回に対して判定された最適な調整因数未満の所定の因数により調整される。反復のたびにプリンタを現反復回に対して判定された最適な調整因数に調整した場合、較正プロセスが不安定になる可能性があるので、この構成が意図的に用いられる。
【００８２】
添付の図面の図８を参照して、プロセスの最初のステップで、（図９（ａ）に示すタイプの）テストパターンをプリンタの解像度、例えば約４００ＤＰＩで印刷する。光学式プリンタにとっての４００ＤＰＩの解像度が、例えば典型的なインクジェットプリンタが提供するはるかに大きな解像度に相当することを、当該技術に精通する者は当然理解するだろう。典型的には、同じ概念ＤＰＩ解像度で印刷した場合、光学式プリンタで達成可能な解像度は、インクジェットプリンタで達成可能な解像度の約５倍優れている（換言すれば、光学式プリンタにとっての４００ＤＰＩの解像度は、インクジェットプリンタにとっての２０００ＤＰＩに概ね相当する）。
【００８３】
テストパターンの印刷後、プロセスの次のステップで、最終印刷画像が許容されるか否かを確認する。以下でより詳細に説明するように、これは、オペレータが手動で行うか、または自動的に行うことができる。
【００８４】
印刷されたテストパターン画像が許容されない場合、プロセスの次のステップで、比較的高い解像度、例えば１６００ＤＰＩを有するカラースキャナで印刷画像をスキャンする。スキャンされたテストパターンは、スキャナに接続されたコンピュータのメモリに直接取り込まれる。プロセスの次のステップで、スキャンされた画像が最終的な品質の測定値に到達するように画像をコンピュータを用いて処理する。
【００８５】
スキャンされた画像の処理後、または処理中に、コンピュータは、光学式プリンタの照射装置における発光素子のそれぞれに対する一連の調整を定義した較正テーブルを生成する。
【００８６】
較正テーブルの完成後、プロセスの次のステップで、較正テーブルでプリンタをプログラムする（発光素子のそれぞれの出力を調整するため）。これが完了した後、プロセスの次のステップで、テストパターンをもう１つ印刷する。
【００８７】
この第２のテストパターンの印刷後、一実施の形態では、プリンタのオペレータがテストパターンを視覚的に査定することにより、画像が許容されるか否かを判定する。画像が許容される場合、較正プロセスは停止され、プリンタは使用の準備が整う。一方、画像が許容されない場合、オペレータにとって視覚的に許容される最終画像が印刷されるまで、プロセスが（上記のように）継続する。
【００８８】
このプロセスの第２の実施の形態（図示せず）では、印刷された最終テストパターンを、コンピュータの制御下にあるとともに画像をスキャンするように較正されたスキャナへ出力してもよい。続いてコンピュータが、スキャンされた画像の品質を（当該技術に精通する者には周知などの所定の基準に従って）自動的に査定し、その後画像を処理して較正テーブルを生成し、既に説明したように許容される画像が印刷されるまで較正プロセスを継続してもよい。
【００８９】
図９（ａ）は、上述したように、較正プロセスで用いる本発明者らが開発したテストパターンの概要図である。しかし、このパターンの詳細を説明する前に、例えば印画紙などの写真用の媒体を緑色ＬＥＤで照射すると、印画紙上にマゼンタ色の画像が現れることを、まず説明することが有用である。同様に、印画紙を青色ＬＥＤで照射すると、印画紙上に黄色の画像が生成され、印画紙を赤色ＬＥＤで照射すると、印画紙上にシアン色の画像が現れる。このようなＬＥＤの色と印画紙上の対応画像の色との間の関係を、図１０で概略的に示す。
【００９０】
図９（ａ）を参照して、較正プロセスでの使用に提案されたテストパターンは、幾つかの別々のテストエリアから構成され、それらはそれぞれ、特定の機能を有する。これらのうちの第１のテストエリアは、それぞれ低強度、中強度および高強度で印刷された３つのスキャンエリア７０、７２および７４から構成される。プリンタを１つのスキャンエリアだけを用いて較正することも可能であるが、所与のＬＥＤの出力は入力電圧に対して非線形に変動するため、異なる強度の３つのエリアを用いることが好ましい。プリンタ解像度の仕様の厳密さによっては、より多くの、またはより少ないテストエリアを用いてもよい。
【００９１】
各スキャンエリアは、各アレイ（赤色、緑色、青色）に対するカラーブロック７６、７８および８０と、各アレイ（赤色、緑色、青色）に対するＬＥＤ識別印刷エリア８２、８４および８６とから構成される。図９（ａ）に（および図９（ｂ）により詳細に）示すように、ＬＥＤ識別印刷エリアは、関連するカラーブロックに直接隣接して印刷される。したがって、図示の特定の例では、プリンタは、すべての赤色ＬＥＤに通電してカラーブロック７６を印刷し、続いてそれらの赤色ＬＥＤのサブセットに通電してＬＥＤ識別印刷エリア８２を印刷する。次いで、赤色ＬＥＤをオフに切り替え、緑色ＬＥＤをオンに切り替えてカラーブロック７８を印刷し、続いてそれらの緑色ＬＥＤのサブセットに通電して識別印刷エリア８４を印刷する。最後に、緑色ＬＥＤをオフに切り替え、すべての青色ＬＥＤに通電してカラーブロック７８を印刷し、続いてそれらの青色ＬＥＤのサブセットに通電して識別エリア８６を印刷する。
【００９２】
図９（ｂ）は、図９（ａ）に示すテストパターンの領域７９の拡大図であり、シアン色のカラーブロックと、写真用の媒体を赤色ＬＥＤアレイで照射することにより生成される関連する識別エリアとを示す。見て明らかに分かるように、識別エリアは複数の平行線から構成され、各線は特定のＬＥＤに起因するものである。図示の特定の例では、識別エリアを印刷するのに通電されるサブセットが、関連するアレイの４つ毎のＬＥＤから構成される（すなわち、第１の列はアレイの第１のＬＥＤから発生し、第２の列は第４のＬＥＤから発生し、第３の列は第８のＬＥＤから発生するなどとなる）。平行線により、コンピュータは、その線を印刷した特定のＬＥＤから発生した関連するカラーブロックを特定の列を識別できる。また、印刷された隣接平行線間を補間することにより、コンピュータは、付随するカラーブロックの列を各アレイの各ＬＥＤに帰することができる。
【００９３】
テスト印刷の各スキャンエリアは、破線により境界が定義されており、それによりコンピュータは、さらなる処理のために印刷されたテスト画像における各スキャンエリアを識別することができる。各スキャンエリアの第１のＬＥＤ識別エリアは、アレイの配向を示す一対の十字記号「＋」を含み、これによりコンピュータは、テスト画像がスキャン時にわずかに斜めになっていた場合も、スキャンエリアを自動的に回転することができる。
コンピュータが処理するためのスキャン画像を生成するには、（図９に示すタイプの）印刷されたテストパターンをカラースキャナ、好ましくはフラットベッドスキャナでスキャンする。４００ＤＰＩで印刷する光学式プリンタに対して、スキャナは、少なくとも１，６００ＤＰＩの解像度および少なくとも２と１／２Ｄの色濃度レンジを有するべきである。スキャンされた画像は、コンピュータのメモリに直接取り込まれ、処理される。
【００９４】
スキャンされたテストパターンの処理は、下記のステップから構成される。まず、コンピュータが、スキャンされた画像の所望のスキャンエリアを（上述の破線を境界マーカとして用いて）識別する。次に、コンピュータは、スキャンエリアに問い合わせを行って上述の配向マーカ（十字記号「＋」）を見付け、必要があればスキャン画像を回転させてスキャンプロセスで生じた傾きを補正する。
【００９５】
コンピュータは次いで、第１のＬＥＤ識別印刷エリアにおける第１の平行線を探し、そのアレイ（この例では赤色アレイ）の第１のＬＥＤのＹ位置を設定する。コンピュータは次いで、隣接した平行線間を補間し、アレイにおける各ＬＥＤの正確なＹ位置を設定する。
【００９６】
次に、コンピュータは、この第１のアレイの各ＬＥＤに対するＬＥＤ識別エリアの（図示による）左方へカラーブロックをスキャンし、印刷画像の強度をＸ方向に測定する。コンピュータは次いで、測定された強度を平均化し、アレイの各ＬＥＤに対して平均強度プロファイルを設定する。
【００９７】
コンピュータは次いで、ＬＥＤのそれぞれについて算出された平均強度プロファイルを、それらのＬＥＤの最も暗いものに対して正規化し、（各ＬＥＤについて）アレイにおけるすべてのＬＥＤの出力を実質的に一定にするため露光時間を（最大値から）短縮しなければならない因数から構成される較正テーブルを生成する。ここで、ＬＥＤの出力は電流に対して非線形に変動するため、ＬＥＤを駆動する電流を変動させるよりもむしろ、ＬＥＤ素子のそれぞれが写真用の媒体を照射する時間を変動させることにより、露光の変動がもたらされることに留意されたい。また、上述のように、本発明者らによるプロセスにおいて、当該反復回に対して判定された最適値未満の所定の因数だけ露光時間が短縮されることにも留意されたい。例えば、コンピュータは、当該反復回に対して最適な短縮として判定された値の９０％のみの露光時間短縮を算出するように構成してもよい。効果的であるためには、較正テーブルは、ＬＥＤのそれぞれに対するスイッチオン時間を短縮すべき程度を規定する複数（各ＬＥＤについて１つ）の乗算器から構成される。
【００９８】
本発明の別の実施の形態では、露光された色の「ブロック」が重ねられて「グレー色」のブロックが与えられる。スキャンされた画像のソフトウェア解析において単純に単一のカラーチャネルを選択することにより、これらのブロックにおいて個々のＬＥＤの露光を測定することができる。本実施の形態の利点は、「カラークロストーク」、すなわち誤った色のＬＥＤによりある色に露光してしまうことを修正できることである。
【００９９】
本発明の別の態様は、上述のように、写真用の媒体の搬送機構の改良に関連するものである。
【０１００】
そのような搬送機構についての特定の要件として、プリンタが上述のスケールの解像度を達成したり高品質の出力を提供したりできるように、写真用の媒体の移動公差が数ミクロン程度、通常は概ね４ミクロンとなるように、搬送機構のコンポーネントを慎重に設計し、制御しなければならない、というものがある。つまり、写真用の媒体をプリンタにおいて所与の距離だけ移動させることが所望される場合、搬送機構のメカトロニクスは通常、実際の搬送距離が所望の距離プラスマイナス４ミクロン以内となるようなものでなければならない。
【０１０１】
当該技術に精通する者であれば理解するであろうことが疑いないように、実際の搬送距離が所望の典型的な距離よりも４ミクロンを超えて大きい場合は、最終画像に可視の白色の帯が現れる可能性がある。同様に、所望の距離に対する搬送距離の不足が４ミクロンを超える場合は、画像の隣接帯状体の重なりが目に見えて分かる程度となり、最終画像が台無しになる可能性がある。したがって、搬送機構の設計は、写真用の媒体を正確に搬送できるものであることが肝要である。
【０１０２】
添付の図面の図１１を参照して、本好適な実施の形態の搬送機構１００は、モータ（図示せず）により駆動されるとともに比較的高レベルのグリップを提供するように構成された外周面を含む写真用の媒体搬送ローラ１０２を備える。例えば、好適な構成では、ローラ１０２に、耐久性が極めて高くかつローラの外側表面に要求される高レベルのグリップを提供する選別されたダイヤモンドチップが電気メッキされている。
【０１０３】
搬送ローラ１０２は、金属でできており、本例では、許容される公差以内の円形断面を有するように正確に研磨されたスチールローラを備える。ローラの材料としては、強度、耐久性および電気メッキの容易さの点でスチールが特に好ましい。
【０１０４】
搬送ローラは、上述のモータにより駆動される中心軸１０３を含む。そのモータは、正確なステッパモータを備えるのが好ましい。既知の摩擦ブレーキタイプの機械制動（例えば、ステッパモータが停止した後も幾分搬送ローラを回転させ続ける慣性効果を打ち消すこと）を中心軸に設けることにより、モータが停止したときに再び所望の位置から許容される公差以内の位置において、確実にローラを停止させることができる。
【０１０５】
光学エンコーダが、中心軸と同軸状に搭載されており、スロット付きディスク１０４およびディスクの各側面に設けられた発光器／光検出器ペア（図示せず）を含んでいる。スロット付きディスクが回転すると、発光器からの光がディスクのスロットを通過し、検出器により検出されることによりパルス信号が生成される。パルス信号を解釈することにより、ディスクが回転した距離（およびオプションで回転速度）の測定値が導出される。この信号は、コンピュータまたはＡＳＩＣ（用途特定集積回路）などのコントローラ（図示せず）に送られる。コントローラは、ステッパモータとフィードバックループ（好ましくは閉フィードバックループ）で動作することにより、搬送ローラ軸ひいては搬送ローラを駆動させるようにステッパモータを制御する。
【０１０６】
直径がローラの直径よりも実質的に大きいスロット付きディスクを提供することにより、ディスクの直径をローラの直径と同じまたは同等とした場合よりも小さな角度のローラの回転を検出でき、有益である。
【０１０７】
搬送ローラに加え、プリンタは押圧ローラ１０８も含む。押圧ローラ１０８は、搬送ローラ１０２に戴置されるようにスプリング１１４またはその他の弾性付勢手段により付勢された１つ以上の可動アームによりプリンタ、例えばプリンターのシャシー１１２に搭載される。
【０１０８】
好適な構成では、押圧ローラ１０８が、共通の軸上に搭載されるとともに、適切な弾性付勢（スプリング等）により互いにおよび１つ以上のアームから分離された複数の自由回転ローラを備える。押圧ローラは、写真用の媒体を搬送ローラに対して押圧することにより、搬送ローラにより写真用の媒体を前進させる際、写真用の媒体が滑る可能性を低減するように機能する。
【０１０９】
写真用の媒体は、出口スロット１２０を含むキャニスタ１１８から供給される。出口スロット１２０は、キャニスタを使用するためプリンタへ挿入する前に写真用の媒体が意図せず露光してしまうことを防止するため遮蔽されている。写真用の媒体は、ロール１２２の状態で提供され、ロール１２２は、モータ（図示せず）により駆動される複数のローラ１２４上に搭載される。ローラ１２４は、写真用の媒体をロールから巻き上げて、ピンチローラ１２６のセットを介してスロット１２０から略矢印「Ａ」により示す写真用の媒体搬送方向に巻き出し、また生じた弛みを除去するため写真用の媒体をキャニスタ内に巻き戻すのに十分な把持力を提供するように構成される。ローラにより提供される把持力の量は、生じた弛みが除去されるとロールがローラ上で滑り、キャニスタ内への写真用の媒体の巻き戻しが停止するように慎重に選定される。モータは、ローラ１２４が写真用の媒体をキャニスタ内へ巻き入れ、またはそこから巻き出すように、コントローラ（搬送ローラを制御するものと同じコントローラでもよい）により制御される。
【０１１０】
１つ以上の供給ローラ（参照符号１２５により略示する）が、キャニスタ１１８と搬送ローラ１０２との間に設けられている。供給ローラ１２５および押圧ローラ１０８は、搬送ローラ１０２に対して、写真用の媒体が搬送ローラ１０２と９０度の接触をなすように構成される。この構成は、写真用の媒体と１つ以上のローラとが詰まりを引き起こし得る点接触をなす可能性を排除するので、好ましい。
【０１１１】
写真用の媒体を搬送する方向Ａにおける搬送ローラ１０２の直後には、真空ベッド１２８が設けられる。真空ベッド１２８は、下方（図示による）への力を写真用の媒体に付加することにより、写真用の媒体がプリンタの光学式印刷ヘッド１３０の下を通過する際、確実に平坦になるように動作する。かかる真空ベッドなしでは、写真用の媒体が完全に平坦にならないことがあり、湾曲が生じた場合、光学画像の写真用の媒体上での合焦や印刷された帯状体のサイズに問題が生じることになる。
【０１１２】
写真用の媒体を搬送する方向Ａにおけるヘッド１３０および真空ベッド１２８の直後には、適切な金床１３４に戴置されることによりそれらの間を通過している写真用の媒体を切断するように機能するカッター刃１３２が設けられる。これから説明する理由のために、写真用の媒体の搬送方向における印刷ヘッドの後縁（すなわち、カッター刃１３２に直近の縁）からの距離は、キャニスタからカッター刃１３２への搬送路の長さと同様に既知である。
【０１１３】
新しいキャニスタがプリンタに挿入（通常は、標準的な長さの写真用の媒体がスロット１２０から突出した状態で）されると、プリンタの制御システムは、キャニスタの存在を検出し、キャニスタモータを制御することにより、写真用の媒体をローラ１２２から巻き上げ、キャニスタから巻き出し、供給ローラ１２５を経由して搬送ローラに達するようにローラ１２４を駆動させる。搬送ローラは回転し、写真用の媒体は、ローラの高グリップ面に対して押圧ローラ１１８により押圧される。写真用の媒体は、搬送ローラにより真空ベッドを介してカッター刃１３２と金床１３４との間を、既知の長さの写真用の媒体（元々キャニスタから突出していた標準的な長さの写真用の媒体よりも長い）が通過するまで送られる。ここで、キャニスタモータおよび搬送ローラモータは停止され、カッターを金床に対して移動させてそれらの間を通過した写真用の媒体片を切断する（この写真用の媒体片は、廃棄物として扱われ、通常の方法でプリンタから排出される）。
【０１１４】
次いで、搬送ローラ用のモータに通電して、上述の光学式印刷ヘッド１３０の後縁とカッター刃１３２との間の距離に対応する既知の距離だけローラを反対方向に回転させる。次いで、搬送ローラモ―タを停止するとともに、キャニスタモータに通電してローラ１２４を反対方向に駆動することにより、キャニスタから送られた写真用の媒体に生じた弛みを除去する。
【０１１５】
写真用の媒体が適正な場所にある状態で、写真用の媒体の表面上でヘッドを移動させて写真用の媒体の帯状体を露光させることにより、画像を生成することができる。その帯状体が完成したら、搬送ローラモータに通電し、搬送ローラモータを回転させて写真用の媒体を前進させることにより、次の画像帯状体を露光することができる。
【０１１６】
このプロセスは、印刷される画像が完成するまで継続され、その間、必要に応じてキャニスタモータに断続的に通電してキャニスタローラを逆方向に駆動することにより、生じた弛みを除去する。次いで、搬送ローラを、光学ヘッドの前縁（すなわち、搬送ローラに最も接近した縁部）とカッターとの間の距離に対応する既知の距離だけ写真用の媒体を搬送するように回転させる。続いて、写真用の媒体の露光した部分を残りの部分から分離するように、カッターを動作させる（残りの部分は、更なるプロセス（例えば、プリンタ内での現像）のため、更なる搬送機構（図示せず）によりカッターから搬送される）。
【０１１７】
次いで、搬送ローラモータに通電して搬送ローラを逆方向に駆動することにより、光学ヘッドの後縁とカッター刃との間の距離に対応する既知の距離だけ写真用の媒体をカッターから引き戻すとともに、キャニスタモータに通電して、キャニスタから供給された写真用の媒体に生じた弛みを除去するようにキャニスタを駆動する。弛みが除去されると、プリンタは別の画像の印刷動作に入ることができる。
【０１１８】
本発明の最終の態様は、写真用の媒体のスループットを高めたプリンタを考案できたとしたら有益であろう、という事実に関するものである。このようなプリンタが異なるサイズの写真用の媒体に容易に対応できたとしたら、それもまた有益であろう。
【０１１９】
上述のように、写真用の媒体のスループットを向上させる比較的簡単な方法の１つは、光学ヘッドアセンブリが写真用の媒体上で移動する速度を増加させるというものであろう。しかし、かかる手法では、それほどの速度増加は達成されない。というのもヘッドは、写真用の媒体上の所与の点を画像形成に必要な量の光学エネルギーに露光するため、（所与の写真用の媒体について）最低限の一定時間だけその点の上に留まらなければないためである。したがって、最終画像の品質に悪影響を与えることなしに、ヘッドが写真用の媒体上の所与の点上に留まる時間がこの最低限の一定時間未満となる程度まで、ヘッドの速度を増加させることはできない。
【０１２０】
この問題に対処するため、本実施の形態は、別々の媒体を隣り合わせに配置し、そのように配置された媒体のそれぞれの帯状体を光学ヘッドアセンブリの１回の通過で露光させることにより、複数の媒体の同時処理を提供するものである。この構成により、プリンタを通過する媒体搬送速度を大幅に（例えば、ほぼ２倍に）増加することが可能である。
【０１２１】
この構成の別の利点は、プリンタが隣り合わせの媒体を２つ同時に処理できるように構成されているため、ヘッドの移動距離が、より大きい（幅広い）媒体の処理が可能な程度にまで増加されているということである。以下で説明する特定の構成では、所与のサイズの隣り合わせの媒体上での、また個々の隣り合わせの写真用の媒体のいずれかのサイズの約２倍の媒体上での印刷を可能にする新規な搬送機構が提供される。
【０１２２】
図１２を参照して、写真用の媒体搬送、処理および切断コンポーネント２００（以下、「ＴＰＣコンポーネント」）と言う）は、ベースプレート２０４の上部に搭載された第１の写真用の媒体搬送アセンブリ２０２と、ベースプレート２０４の下方に搭載された第２の写真用の媒体搬送アセンブリ２０６とを備える。図示のように、第２の写真用の媒体搬送アセンブリ２０６は、第１の搬送アセンブリ２０２よりもはるかに幅が広く、後述するように、この搬送アセンブリは、プリンタが第１の搬送アセンブリの幅よりも大きい媒体を処理できるようにする手段を提供する。
【０１２３】
媒体は、１つ以上の媒体カセット（図示せず）から図示のコンポーネントに送られ、図示のコンポーネントから現像コンポーネント（これも図示せず）内に送られ、そこで露光された写真画像が現像される。
【０１２４】
第１の写真用の媒体搬送アセンブリ（ベースプレートから直立するように図示されている）は、湾曲した媒体ガイド２１０（図１３に最良に見られる）に形成されたスロットを通じて当接する第１のローラ対２０８と、第１の対の下方に配設された第２のローラ対２１２（一方は図１２において見られ、他方は図１３において見られる）と、第２の対の下方に配設された第３のローラ対２１４（一方が図１３において見られる）と、ベースプレート２０４および第３のローラ対２１４のわずかに下方に設けられた第４のローラ対２１６とを備える。
【０１２５】
第１〜第４のローラ対はそれぞれ、従動ローラ（ベルト駆動アセンブリ２２０および関連するモータ２２２により駆動される）および自由回転ローラを備え、この従動ローラおよび自由回転ローラは、ベースプレート２０４から直立するシャシーコンポーネントに搭載される。第２の写真用の媒体搬送アセンブリは、第２の媒体ガイド２２４に設けられたスロットを通じて当接するとともに、上述の第４のローラ対２１６の下方に設けられた第５のローラ対２１８を備える。
【０１２６】
第５のローラ対は、著しく長く（通常は、第１〜第４のローラ対の２倍超）、第１の構成において、第１〜第４のローラ対の長さよりも幅広い媒体に対するＴＰＣコンポーネント２００への入口を提供する。更に、第５のローラ対の第４の対よりも長い部分は、第２の構成において、第２の媒体片に対するＴＰＣコンポーネント２００への入口を提供し、これにより第１および第２の媒体片の両方を同時に処理することが可能になる。
【０１２７】
本第１の構成を検討すると、第１〜第４のローラ対の長さよりも幅が大きい媒体は、第５のローラ対２１８の間からＴＰＣコンポーネント２００に入り、媒体ガイド２２４に沿ってその上方を通過し、ベースプレート２０４の下方に設けられたローラセット（これらのローラセット用の駆動機構が、図１４においてベースプレート２０４の下方に見られる）に達する。これらのローラは、媒体をベースプレート２０４に向けて上方に転回させ、ベースプレート２０４のスロットを通じて図１１に示すタイプのダイヤモンドがコーティングされた搬送ローラ（不可視）に接触させる。
【０１２８】
第２の構成では、第１の媒体片が、第１のローラ対２０８の間を通過して媒体ガイド２１０の下側に達し、そこから第２、第３および第４のローラ対の間を通過する。第１の媒体片は、第４のローラ対から出て、第５のローラ対の上側のローラの上方を通過してから、第５のローラ対２１８の間を（Ａ方向に）、そして媒体ガイド２２４の上方でそれに沿って通過し、ベースプレート２０４の下方に搭載された上述のローラに到達する。これらのローラは、第１の長さの媒体をベースプレート２０４に向けて上方に転回させ、ベースプレート２０４のスロットを通じてダイヤモンドがコーティングされた搬送ローラに接触させる。
【０１２９】
第２の媒体片（第１の媒体片と等しい幅を有するのが通常である（が必ずしもその必要はない））は、第５のローラ対の間をＢ方向に、そして媒体ガイド２２４に沿ってその上方を通過し、ベースプレート２０４の下方に設けられたローラセット（不可視）に到達する。これらのローラは、媒体をベースプレート２０４に向けて上方に転回させ、ベースプレート２０４のスロットを通じてダイヤモンドがコーティングされた搬送ローラに接触させる。この構成では、第１および第２の媒体片が、小さな間隙を隔てて互いに実質的に平行に配設される。２つの長さの媒体は、後述するように、光学ヘッドアセンブリ２２６（この構成では２つのオフセット照射装置を備える）の下方を通過し、ヘッドが両方の媒体にまたがって移動することにより、２つの媒体片のそれぞれの上に画像（好ましい構成では同じ画像）の連続した帯状体を印刷（すなわち、露光）する。代替の構成では、２つの媒体片の対応する一方を露光させるようにそれぞれ構成された２つの印刷ヘッドを設けることができる。
【０１３０】
図１１に示す構成と同様に、媒体は、媒体の搬送方向に延在する一対の可動アーム上に搭載された押圧ローラ２２８により、ダイヤモンドがコーティングされたローラに当接するように付勢される。ＴＰＣコンポーネント２００内での媒体の位置合わせ調整を容易にするため、側方に延在するバー２３２が締結されたカム２３０が設けられる。カムは、モータ２３４により駆動可能で、バー２３２をベースプレート２０４に向けて下げ、押圧ローラ２２８が搭載されたアーム（不可視）の自由端に対し作用する。これにより、アームを枢動させて、押圧ローラ２２８をダイヤモンドでコーティングされた搬送ローラから浮かせることにより、ＴＰＣコンポーネント内における媒体の位置合わせを調整することができる。
【０１３１】
図１１に示す構成では、プリンタにおける媒体搬送方向において光学ヘッドアセンブリの直近の後方にカッターが設けられている。
【０１３２】
しかし、この配置では（図１３に示すように）、カッター２３６が（光学ヘッドアセンブリに対して）媒体搬送方向の前方に移動されているため、光学ヘッドアセンブリが搭載された第１のビーム２４０とカッター２３６が搭載された第２のビーム２４２との間に間隙２３８が存在する。
【０１３３】
この間隙２３８には、ベースプレート２０４のスロットを開くとともに、ベースプレート２０４下方のデッドループ（図示せず）へのアクセスを提供するよう移動可能なフラップ（図中では不可視）が設けられる。媒体は、デッドループを通ってからベースプレートの上方に戻り、カッター２３６を通って前方に移動する。このデッドループは、異なる媒体サイズに伴って媒体処理速度および媒体搬送速度が変動する際、ＴＰＣコンポーネント２００を通過する媒体の通路長を変動させるように設けられ、最終的には、カッターの動作を媒体の搬送と適正に同期させることにより、媒体の各片が正しい位置で切断されるようにする。
【０１３４】
カッターアセンブリの前方（媒体搬送方向における）には、自由回転ローラ２４４とその上方に搭載されたクランプローラ２４６とから構成される一対のローラが設けられる。クランプローラは、クランプローラの軸心周りを回転可能な大きい変形可能部２４８（例えば発泡材料）と、より小さい変形不能部２５０とを備える。クランプローラに直近の上方には、両端がブロック２５４上に支持された側方バー２５２が設けられる。各ブロック２５４は、それぞれの位置決めピン２５６上でスプリング付勢に抗して移動可能である。バーは、モータ２５８により駆動され、ブロックを押下するとともに自由回転ローラに抗してクランプローラ２４６の変形不能部を押圧することにより、それらの間に媒体をクランプする。
【０１３５】
媒体が適切な場所にクランプされると、カッター２３６を動作させて媒体の露光部分を分離し、続いて光学式プリンタの隣接した現像部（図示せず）において現像する。
【０１３６】
カッターが動作した後、ブロック（およびバー）を自由回転ローラ２４４から離れるように移動し、自由回転ローラとクランプローラとの間にクランプされていた媒体の切断部分が解放され、従動ベルトにより現像部内へ搬送される。特に好ましい構成では、媒体が切断のため自由回転ローラとクランプローラとの間にクランプされている間も、従動ベルトは（媒体を引くように）駆動され続ける。従動ベルトが付加する力による媒体の引裂を避けるため、従動ベルトは、媒体がクランプされている間、ＴＰＣコンポーネントに向かう方向のスプリング付勢に抗して揺動するよう構成された揺動ローラに架け渡されるのが好ましい。この構成の利点は、クランプされた媒体が解放されてからすぐに、媒体の切断部分がスプリング付勢により速やかに加速されてカッター刃から続けてプリンタの処理部内へ移動することである。
【０１３７】
このように、別々の媒体片を光源により露光させることがそれぞれ可能な複数の印刷チャネルを定義するように構成および編成された、光学式プリンタのコンポーネントをここに説明した。コンポーネントは、別々の媒体片が２つ以上の前記チャネルを通過して前記光源により露光されることにより、各媒体片上に画像を形成するように、または、単一の媒体片が同時に２つ以上の前記チャネルを通過して前記光源により露光されることにより、前記単一の媒体片上に単一の画像を形成するように、構成することができる。
【０１３８】
また、別々の媒体片を同時に通過させることが可能な少なくとも２つの印刷チャネル、および前記チャネルのそれぞれの媒体片を露光させることにより各媒体片上に画像を形成可能な少なくとも１つの光学式印刷ヘッドを有する、光学式プリンタのコンポーネントを説明した。
【０１３９】
先述のように、幾つかの好適な構成を上で詳細に説明したが、本開示の適用範囲は、記載の特定の構成のみに限定されない、ということが当該技術に精通する者には理解されよう。むしろ、本開示の適用範囲は、上記の精神および教示に該当する実施の形態に対するすべての変形を含む。
【０１４０】
例えば、幾つかの適用においては、印刷ヘッドアセンブリにレンズアセンブリを設ける必要がない場合もある。また、印刷ヘッドは、複数の照射装置を備えてもよい。上記構成の別の変形では、印刷ヘッドアセンブリが真空テーブル上を移動し、写真用の媒体がそれらの間を通過するのが特に好ましい。真空テーブルは、無理な力を加えずに媒体を実質的に平坦に保持することにより、媒体がわずかに湾曲していた場合に画像に生じ得る収差を回避できるため、有益である。別の変形では、プリンタが、３つ以上の印刷ヘッド、印刷アセンブリを備えてもよく、または３つ以上のチャネルを提供するように構成可能であってもよい。
【０１４１】
また、アレイを互いに直線方向（すなわち、概念線に平行な方向）にオフセットすることに関連する利益が、所与のアレイにおける隣接光源素子を互いにオフセットすることに関連する利益とは独立的に享受されるということは、当該技術に精通する者には明白である。つまり、各アレイが素子の単純なカラム（図２（ａ）に示す）を備えるものとし、隣接アレイを図４または５に示すように互いにオフセットさせてもよい。
【０１４２】
最後に、本発明の適用範囲は、本明細書で説明しまたは請求項に記載した特長のいずれの組み合わせをも、その特定の組み合わせが現時点での付帯の請求項に記載されているか否かにかかわらず、含むことに留意されたい。
【０１４３】
本発明の第１の局面に係る光学式プリンタ用の照射装置は、可視電磁スペクトルの赤色帯域内の光を発するようそれぞれ動作可能な複数の光源素子を備える第１の光源アレイと；可視電磁スペクトルの青色帯域内の光を発するようそれぞれ動作可能な複数の光源素子を備える第２の光源アレイと；可視電磁スペクトルの緑色帯域内の光を発するようそれぞれ動作可能な複数の光源素子を備える第３の光源アレイとを備え；前記第１、第２および第３の光源アレイは、基板上のそれぞれの実質的に平行な概念線に沿って略直線的に編成され；前記各アレイの前記複数の光源素子は、前記複数のうちのそれぞれの隣接光源素子が、関連する概念線に対して互いにオフセットされるように編成されている。
【０１４４】
本発明の第２の局面に係る光学式プリンタ用の照射装置は、可視電磁スペクトルの赤色帯域内の光を発するようそれぞれ動作可能な複数の光源素子を備える第１の光源アレイと；可視電磁スペクトルの青色帯域内の光を発するようそれぞれ動作可能な複数の光源素子を備える第２の光源アレイと；可視電磁スペクトルの緑色帯域内の光を発するようそれぞれ動作可能な複数の光源素子を備える第３の光源アレイとを備え；前記第１、第２および第３の光源アレイは、基板上のそれぞれの実質的に平行な概念線に沿って略直線的に編成され、前記第１、第２および第３の光源アレイはそれぞれ、帯状光を発するよう動作可能であり、前記印刷ヘッドは、前記光源アレイの第１のアレイが通電時に、前記光源アレイの隣接した第２のアレイが通電時に発する帯状光から関連する概念線に沿って直線的にオフセットされた帯状光を発するように構成されている。
【０１４５】
本発明の第３の局面に係る光学式プリンタ用の照射装置は、第２の局面に係る光学式プリンタ用の照射装置において、各前記アレイの前記複数の光源素子は、前記複数のうちのそれぞれの隣接光源素子が、関連する概念線に対して互いにオフセットされるように編成されている。
【０１４６】
本発明の第４の局面に係る光学式プリンタ用の照射装置は、第１の局面または第３の局面に係る光学式プリンタ用の照射装置において、  前記複数のうちのそれぞれの隣接光源素子が、関連する概念線のいずれかの側に互いにオフセットされている。
【０１４７】
本発明の第５の局面に係る光学式プリンタ用の照射装置は、第１の局面、第３の局面または第４の局面のいずれか１の局面に係る光学式プリンタ用の照射装置において、前記各光源素子は発光強度プロファイルを有し、前記アレイのそれぞれの隣接光源素子は、第１の光源素子の発光強度プロファイルが第２の光源素子の発光強度プロファイルと重なり、その重なりが、前記光学式プリンタにより写真用の媒体上に印刷された前記第１および第２の光源素子に起因する画像の素子が解像不能な程度となるように編成されている。
【０１４８】
本発明の第６の局面に係る光学式プリンタ用の照射装置は、第５の局面に係る光学式プリンタ用の照射装置において、隣接した光源素子間の重なりの程度が、前記各光源アレイについて実質的に一定である。
【０１４９】
本発明の第７の局面に係る光学式プリンタ用の照射装置は、第５の局面または第６局面に係る光学式プリンタ用の照射装置において、前記光源素子は、それぞれの隣接光源素子対の前記発光強度プロファイルの重なりが、２０パーセント未満、好ましくは少なくとも２パーセントとなるように編成されている。
【０１５０】
本発明の第８の局面に係る光学式プリンタ用の照射装置は、第１の局面乃至第７の局面のいずれか１の局面に係る光学式プリンタ用の照射装置において、それぞれの光源アレイの前記各光源素子を電源に接続するための電気回路構成と、前記光源素子に通電するための制御手段とを備える。
【０１５１】
本発明の第９の局面に係る光学式プリンタ用の照射装置は、第８の局面に係る光学式プリンタ用の照射装置において、前記電気回路構成が前記基板上に印刷されている。
【０１５２】
本発明の第１０の局面に係る光学式プリンタ用の照射装置は、第９の局面に係る光学式プリンタ用の照射装置において、前記電気回路構成が前記基板の第１の側に印刷されるとともに前記光源素子が前記基板の反対の第２の側に搭載され、前記光源素子は、前記基板を通過するそれぞれの電気経路により前記電気回路構成に接続されている。
【０１５３】
本発明の第１１の局面に係る光学式プリンタ用の照射装置は、第８の局面乃至第１０の局面のいずれか１の局面に係る光学式プリンタ用の照射装置において、前記電気回路構成が、前記第１、第２および第３のアレイのそれぞれに個々に通電できるように構成されている。
【０１５４】
本発明の第１２の局面に係る光学式プリンタ用の照射装置は、第２の局面もしくは第３の局面、または第２もしくは第３の局面を引用する第４の局面乃至第１１の局面のいずれか１の局面に係る光学式プリンタ用の照射装置において、前記各光源アレイは、その一端または両端に所定数の光源素子を備え、前記所定数の光源素子は、前記光源アレイの通電時に、前記光源素子アレイの第１のアレイが発する帯状光が、前記光源素子アレイの第２のアレイが発する帯状光から関連する概念線に沿って直線的にオフセットされるように通電されないよう編成されている。
【０１５５】
本発明の第１３の局面に係る光学式プリンタ用の照射装置は、第２の局面もしくは第３の局面、または第２もしくは第３の局面を引用する第４の局面乃至第１１の局面のいずれか１の局面に係る光学式プリンタ用の照射装置において、各光源アレイは、通電時に、前記光源アレイの第１のアレイが発する帯状光が、前記光源アレイの第２のアレイが発する帯状光から関連する概念線に沿って直線的にオフセットされるように、隣接した光源アレイから関連する概念線に沿って直線的にオフセットされている。
【０１５６】
本発明の第１４の局面に係る光学式プリンタ用の照射装置は、第１の局面乃至第１３の局面のいずれか１の局面に係る光学式プリンタ用の照射装置において、前記光源素子が発光ダイオードを備える。
【０１５７】
本発明の第１５の局面に係る光学式プリンタ用の照射装置は、第１の局面乃至第１４の局面のいずれか１の局面に係る光学式プリンタ用の照射装置において、前記基板が、隣接した光源素子アレイ間の光反射を低減するように構成されている。
【０１５８】
本発明の第１６の局面に係る光学式プリンタ用の照射装置は、第１４の局面または第１５の局面に係る光学式プリンタ用の照射装置において、前記基板が、隣接した光源素子アレイ間の光反射を低減するように構成されている。
【０１５９】
本発明の第１７の局面に係る光学式プリンタ用の照射装置は、第１４の局面乃至第１６の局面のいずれか１の局面に係る光学式プリンタ用の照射装置において、前記基板が、少なくとも前記光源素子が搭載された側において、実質的に無反射になされている。
【０１６０】
本発明の第１８の局面に係る光学式プリンタ用の照射装置は、第１４の局面乃至第１７の局面のいずれか１の局面に係る光学式プリンタ用の照射装置において、前記各ＬＥＤ光源素子が、光学透過性材料により保護のためカプセル封入されている。
【０１６１】
本発明の第１９の局面に係る光学式プリンタ用の照射装置は、第１４の局面乃至第１８の局面のいずれか１の局面に係る光学式プリンタ用の照射装置において、前記照射装置から発せられた光が所定の特性を有するように、１つ以上の前記光学素子アレイによる照射のために編成された１つ以上の光学フィルタを備える。
【０１６２】
本発明の第２０の局面に係る光学式プリンタ用の照射装置は、第１９の局面に係る光学式プリンタ用の照射装置において、前記第１、第２および第３の各光源素子アレイにそれぞれ関連する第１、第２および第３のフィルタを備える。
【０１６３】
本発明の第２１の局面に係る光学式プリンタ用の照射装置は、第２０の局面に係る光学式プリンタ用の照射装置において、前記第１、第２および第３のフィルタの１つ以上が帯域通過フィルタを備える。
【０１６４】
本発明の第２２の局面に係る光学式プリンタ用の照射装置は、第２０の局面または第２１の局面に係る光学式プリンタ用の照射装置において、前記フィルタの１つ以上は、前記フィルタの他の１つ以上よりも光学透過性が低く、それにより前記照射装置から発せられた前記低透過性フィルタに関連する光源素子アレイに起因する光の成分の相対強度を低下させる。
【０１６５】
本発明の第２３の局面に係る光学式プリンタ用の照射装置は、第２１の局面に係る光学式プリンタ用の照射装置において、前記低透過性光学フィルタが前記第２の光学素子アレイに関連する。
【０１６６】
本発明の第２４の局面に係る光学式プリンタ用の照射装置は、第１５の局面乃至第２３の局面のいずれか１の局面に係る光学式プリンタ用の照射装置において、更に、前記フィルタと前記カプセル封入ＬＥＤとの間に設けられた光学透過性媒体を備える。
【０１６７】
本発明の第２５の局面に係る光学式プリンタ用の照射装置は、第２４の局面に係る光学式プリンタ用の照射装置において、前記光学透過性媒体が流体媒体を備える。
【０１６８】
本発明の第２６の局面に係る光学式プリンタ用の照射装置は、第１５の局面乃至第２５の局面のいずれか１の局面に係る光学式プリンタ用の照射装置において、更に、複数の開口が設けられたマスクを備え、前記開口は、前記マスクを前記光学素子アレイの前に配置したとき前記光学素子と概ね一致するように編成されている。
【０１６９】
本発明の第２７の局面に係る光学式プリンタ用の照射装置は、可視電磁スペクトルの赤色帯域内の光を発するようそれぞれ動作可能な複数の光源素子を備える第１の光源アレイと；可視電磁スペクトルの青色帯域内の光を発するようそれぞれ動作可能な複数の光源素子を備える第２の光源アレイと；可視電磁スペクトルの緑色帯域内の光を発するようそれぞれ動作可能な複数の光源素子を備える第３の光源アレイと；前記第１、第２および第３の光源アレイが搭載された第１の表面を有する基板であって、前記第１の表面は、隣接した光学素子アレイ間の光反射を低減するように構成されている基板と；複数の開口が設けられたマスクであって、前記開口が前記アレイの光源素子と概ね一致することにより前記アレイからの光が前記マスクを透過できるように、前記光源素子アレイの前に配置されているマスクとを備える。
【０１７０】
本発明の第２８の局面に係る光学式プリンタ用の照射装置は、第２７の局面に係る光学式プリンタ用の照射装置において、第１の局面乃至第２６の局面のいずれか１の局面に係る光学式プリンタ用の照射装置に係る特長の１つ以上を更に備える。
【０１７１】
本発明の第２９の局面に係る  印刷ヘッドは、第１の局面乃至第２８の局面のいずれか１の局面に係る光学式プリンタ用の照射装置と；受光面を有する光ファイバーライトパイプであって、前記照射装置の前記光源アレイからの光を前記受光面で受けるよう編成されているライトパイプとを備え；前記ライトパイプは更に、前記光源アレイからの光を伝達して写真用の媒体に照射するための光伝達面と、前記受光面が前記光伝達面よりも実質的に大きい表面積を有するように前記受光面と前記光伝達面との間に設けられたテーパ状領域を備える。
【０１７２】
本発明の第３０の局面に係る印刷ヘッドは、第２９の局面に係る印刷ヘッドにおいて、前記照射装置が、前記光ファイバーライトパイプの前記受光面に当接している。
【０１７３】
本発明の第３１の局面に係る印刷ヘッドは、第３０の局面に係る印刷ヘッドにおいて、前記照射装置と前記ライトパイプの前記受光面との間に設けられた光学透過性媒体を備える。
【０１７４】
本発明の第３２の局面に係る印刷ヘッドは、第３１の局面に係る印刷ヘッドにおいて、前記光学透過性媒体が流体媒体を備える。
【０１７５】
本発明の第３３の局面に係る印刷ヘッドは、第３０の局面乃至第３２の局面のいずれか１の局面に係る印刷ヘッドにおいて、前記印刷ヘッドが更に、前記ライトパイプの前記受光面に到達する周辺光を低減するための手段を備える。
【０１７６】
本発明の第３４の局面に係る印刷ヘッドは、第３３の局面に係る印刷ヘッドにおいて、前記当接した照射装置およびライトパイプが、前記ライトパイプの前記発光面を覆わない実質的に無反射の媒体により覆われている。
【０１７７】
本発明の第３５の局面に係る光学式プリンタ用の印刷ヘッドアセンブリは、第２９の局面乃至第３４のいずれか１の局面に係る印刷ヘッドを備え；前記印刷ヘッドと使用中に写真用の媒体が沿うように搬送される搬送面との間に設けられた光学レンズリレーを備える。
【０１７８】
本発明の第３６の局面に係る印刷ヘッドアセンブリは、第３５の局面に係る印刷ヘッドにおいて、前記レンズリレーが複数のレンズを備える。
【０１７９】
本発明の第３７の局面に係る印刷ヘッドアセンブリは、第３５の局面または３６の局面に係る印刷ヘッドにおいて、前記光学レンズリレーは、前記発光面から使用中に前記搬送面に沿って搬送される写真用の媒体へ対称的な１：１の光伝搬を提供するように構成および編成されている。
【０１８０】
本発明の第３８の局面に係る印刷ヘッドアセンブリは、第３５の局面または３６の局面に係る印刷ヘッドにおいて、前記光学レンズリレーは、前記発光面から使用中に前記搬送面に沿って搬送される写真用の媒体へ非対称的な光伝搬を提供するように構成および編成されている。
【０１８１】
本発明の第３９の局面に係る印刷ヘッドアセンブリは、第３８の局面に係る印刷ヘッドにおいて、前記光学レンズリレーは、前記印刷ヘッドの前記発光面により照射される前記写真用の媒体の面積を増加または減少させるように構成および編成されている。
【０１８２】
本発明の第４０の局面に係る印刷ヘッドアセンブリは、第３５の局面または３６の局面に係る印刷ヘッドにおいて、前記光学レンズリレーは、前記発光面から前記写真用の媒体へ対称的または非対称的なユーザにより選択可能な光伝搬と提供するよう構成および編成されている。
【０１８３】
本発明の第４１の局面に係る印刷ヘッドアセンブリは、第４０の局面に係る印刷ヘッドにおいて、前記発光面と前記搬送面との間における前記光学レンズリレーの位置が、ユーザにより調整可能である。
【０１８４】
本発明の第４２の局面に係る印刷ヘッドアセンブリは、第４０の局面に係る印刷ヘッドにおいて、前記発光面から前記写真用の媒体へ１：１の対称的な光伝搬を提供するように構成された第１の光学レンズリレーと；それぞれが異なる非対称的な光伝搬を提供する複数の他の光学リレーとを備え；前記第１のリレーおよび前記複数の他のリレーは、前記発光面と前記キャリア表面との間に選択的に挿入可能である。
【０１８５】
本発明の第４３の局面に係る光学式プリンタは、第１の局面乃至第２８の局面のいずれか１の局面に係る照射装置を少なくとも１つ備える。
【０１８６】
本発明の第４４の局面に係る光学式プリンタは、第２９の局面乃至第３４の局面のいずれか１の局面に係る印刷ヘッドを備える。
【０１８７】
本発明の第４５の局面に係る光学式プリンタは、第３５の局面乃至第４２の局面のいずれか１の局面に係る印刷ヘッドアセンブリを少なくとも１つ備える。
【０１８８】
本発明の第４６の局面に係る方法は、  複数の発光素子アレイを備える印刷ヘッドであって、各アレイは複数の素子を備える印刷ヘッド、を有する光学式プリンタを較正する方法であって：  （ａ）前記印刷ヘッドを動作させて第１の写真用の媒体セグメント上でテストパターンを露光させるステップであって、各アレイの前記素子のそれぞれは、前記第１の媒体セグメントを少なくとも１箇所において照射するように構成されているステップと；  （ｂ）前記第１の媒体セグメントを現像して前記テストパターンの第１の画像を提供するステップと；  （ｃ）各素子について、その素子に関連する前記少なくとも１箇所における前記画像の一部を形成するために前記媒体セグメントを露光したその素子による光出力を判定するステップと；  （ｄ）各素子について調整因数を判定するステップであって、前記調整因数は、関連する素子の光出力の推定調整値と関連し、前記推定調整値は、前記素子をその調整値に従い調整して動作させると、その素子の光出力がその他の素子による光出力と実質的に同じになるはずのものであるステップと；  （ｅ）前記素子について算出された前記因数から較正テーブルを生成するステップであって、前記テーブルは、各素子の光出力がどのように調整されるべきかを定義するステップと；  （ｆ）前記較正テーブルに従い前記印刷ヘッドを動作させて、前記第１の媒体セグメントと同一の第２の媒体セグメント上で同じテストパターンを露光させるステップと；  （ｇ）前記第２の媒体セグメントを現像して前記テストパターンの第２の画像を提供するステップと；（ｈ）前記第２の画像が許容可能な品質であるかを判定するステップと；  （ｉ）前記画像が許容可能な品質でない場合、前記画像が許容可能な品質であると判定されるまでステップ（ｃ）乃至（ｈ）を反復的に繰り返すステップとを備える。
【０１８９】
本発明の第４７の局面に係る方法は、第４６の局面に係る方法において、各アレイの前記素子のそれぞれが、前記写真用の媒体を複数箇所において露光させるように構成されている。
【０１９０】
本発明の第４８の局面に係る方法は、第４７の局面に係る方法において、ステップ（ｃ）が、各素子について、前記複数箇所における平均光出力を判定するステップを備える。
【０１９１】
本発明の第４９の局面に係る方法は、第４６の局面乃至第４８の局面のいずれか１の局面に係る方法において、ステップ（ｃ）が、前記第１の画像をデジタル化することにより取得される前記テストパターンのデジタル画像から自動的に行われる。
【０１９２】
本発明の第５０の局面に係る方法は、第４９の局面に係る方法において、前記第１の画像をスキャンして前記デジタル画像を生成するステップを備える。
【０１９３】
本発明の第５１の局面に係る方法は、第４６の局面乃至第５０の局面のいずれか１の局面に係る方法において、ステップ（ｈ）は、前記テストパターンの前記第２の画像が所定の基準セットを満たすかを判定するステップと、前記基準セットが満たされた場合に前記第２の画像が許容可能な品質であると判定するステップとを備える。
【０１９４】
本発明の第５２の局面に係る方法は、第５１の局面係る方法において、前記所定の基準セットが、印刷されたテストパターンが許容可能であると見なし得る状態になる前に有するべき複数の物理属性を備える。
【０１９５】
本発明の第５３の局面に係る方法は、第５２の局面に係る方法において、ステップ（ｈ）が、前記第２の画像をスキャンするステップと、前記テストパターンの物理属性を測定するステップと、前記テストパターンについて測定された物理属性を前記基準セットにおいて定義された対応する物理属性と比較するステップと、前記測定された物理属性が前記基準セットにおいて定義された属性と少なくとも等しい場合に前記印刷されたテストパターンが許容可能であることを示すステップとにより達成される。
【０１９６】
本発明の第５４の局面に係る方法は、第５３の局面に係る方法において、前記スキャンするステップ、測定するステップ、比較するステップおよび示すステップが、コンピュータの制御下で自動的に達成される。
【０１９７】
本発明の第５５の局面に係る方法は、第４６の局面乃至第５４の局面のいずれか１の局面に係る方法において、前記素子の光出力が、前記素子の通電期間を制御することにより調整される。
【０１９８】
本発明の第５６の局面に係る方法は、第４６の局面乃至第５４の局面のいずれか１の局面に係る方法において、前記素子が当初、最大の光出力で前記第１の写真用の媒体セグメントを照射するように編成されている。
【０１９９】
本発明の第５７の局面に係る方法は、第５５の局面または第５６の局面に係る方法において、前記素子についての前記調整因数が、前記テストパターンを作成する際の前記素子の通電期間をどれだけ短縮すべきかの因数を備える。
【０２００】
本発明の第５８の局面に係る方法は、第４６の局面乃至第５７の局面のいずれか１の局面に係る方法において、各前記光源素子についての所与の反復回についての前記調整因数は、その素子についての最適な調整因数未満であり、前記最適な因数は、その反復回について、各素子が一部を形成する前記アレイのすべての素子が厳密に同じ光出力を有することになるその素子についての調整値であるものと推定される。
【０２０１】
本発明の第５９の局面に係る方法は、第５８の局面に係る方法において、前記調整因数が、前記最適な調整因数よりも少なくとも５％小さい。
【０２０２】
本発明の第６０の局面に係る方法は、第５８の局面または第５９の局面に係る方法において、前記調整因数が、前記最適な調整因数よりも少なくとも１０％小さい。
【０２０３】
本発明の第６１の局面に係る方法は、第４６の局面乃至第６０の局面のいずれか１の局面に係る方法において、前記テストパターンが、前記光源アレイのそれぞれについて別々のブロックを含み、前記ブロック内では前記写真用の媒体が、そのアレイ内の素子からの光のみにより露光される。
【０２０４】
本発明の第６２の局面に係る方法は、第４６の局面乃至第６１の局面のいずれか１の局面に係る方法において、前記テストパターンが、前記アレイのうちの２つ以上により露光される組み合わせ領域を含み；更に、前記組み合わせ領域から前記アレイ間のクロストークの程度の測定値を判定するステップを備える。
【０２０５】
本発明の第６３の局面に係るプリンタ制御指示は、搬送波内に実装されたプリンタ制御指示であって；光学式プリンタを制御して較正テストパターンを印刷するよう構成され；前記光学式プリンタは、複数の光源素子をそれぞれ備える複数の光源アレイを有し；前記パターンは、前記光源アレイのそれぞれについて別々の印刷ブロックであって、前記印刷ブロック内では写真用の媒体が、そのアレイ内の素子からの光のみにより露光される別々の印刷ブロックを備える。
【０２０６】
本発明の第６４の局面に係るプリンタ制御指示は、第６３の局面に係るプリンタ制御指示において、前記光源素子のそれぞれが、前記ブロック内の複数の画素を露光させ、前記複数の画素のそれぞれが、１つの素子に関連付けられるように構成されている。
【０２０７】
本発明の第６５の局面に係る装置は、  複数の発光素子アレイを備える印刷ヘッドであって、前記各アレイは複数の素子を備える印刷ヘッド、を有する光学式プリンタを較正するための装置であって：  （ａ）前記印刷ヘッドを動作させて第１の写真用の媒体セグメント上でテストパターンを露光させる手段であって、各アレイの前記素子のそれぞれは、前記第１の媒体セグメントを少なくとも１箇所において照射するように構成されている手段と；  （ｂ）前記第１の媒体セグメントを現像して前記テストパターンの第１の画像を提供する手段と；
（ｃ）各素子について、その素子に関連する前記少なくとも１箇所における前記画像の一部を形成するよう前記媒体セグメントを露光したその素子による光出力を判定する手段と；  （ｄ）各素子について調整因数を判定する手段であって、前記調整因数は、関連する素子の光出力の推定調整値と関連し、前記推定調整値は、前記素子をその調整値に従い調整して動作させると、その素子の光出力がその他の素子による光出力と実質的に同じになるはずのものである、手段と；  （ｅ）前記素子について算出された前記因数から較正テーブルを生成するための手段であって、前記テーブルは、各素子の光出力がどのように調整されるべきかを定義する、手段と；
（ｆ）前記較正テーブルに従い前記印刷ヘッドを動作させて、前記第１の写真用の媒体セグメントと同一の第２の写真用の媒体セグメント上で同じテストパターンを露光させる手段と；  （ｇ）前記第２の媒体セグメントを現像して前記テストパターンの第２の画像を提供する手段と；  （ｈ）前記第２の画像が許容可能な品質であるか判定する手段と；  （ｉ）前記第２の画像が許容可能な品質でない場合、前記画像が許容可能な品質であると判定されるまでコンポーネント（ｃ）乃至（ｈ）を反復的に動作させるように構成および編成された制御手段とを備える。
【０２０８】
本発明の第６６の局面に係るコンピュータプログラムは、コンピュータにより実行されると第４６の局面に係る方法の少なくともステップ（ｂ）乃至（ｅ）を実施するよう動作可能な１つ以上のコンピュータプログラムコンポーネントを備える。
【０２０９】
本発明の第６７の局面に係る較正パターンは、実質的に本明細書においてこれまでに記載のまたは添付の図面に示す較正パターンである。
【０２１０】
本発明の第６８の局面に係る搬送機構は、光学式プリンタ用の搬送機構であって：写真用の媒体を搬送するための搬送ローラであって、前記搬送ローラの外側表面の少なくとも一領域が、写真用の媒体を把持するとともに前記搬送機構を通って印刷ヘッドアセンブリに向けて引くように構成されている、搬送ローラと；写真用の媒体を前記搬送ローラに対して押圧することにより、前記搬送ローラにより前進させる際に前記媒体が滑る可能性を低減するよう構成された押圧ローラと；少なくとも１つの格納キャニスタから前記押圧ローラおよび搬送ローラに写真用の媒体を案内するための案内手段と；前記搬送ローラを回転させるように構成されたステッパモータと；前記搬送ローラの回転を検出するとともにその回転を表す信号を生成する手段と；前記搬送ローラを駆動して前記搬送機構を通って所定の距離だけ媒体を前進させるよう前記ステッパモータを制御し、前記信号から前記ローラが回転した距離の測定値を導出し、前記測定された距離が前記所定の距離と等しい場合に前記ステッパモータを制御して前記ローラの回転を停止させるよう構成されたコントローラとを備える。
【０２１１】
本発明の第６９の局面に係る搬送機構は、第６８の局面に係る搬送機構において、前記搬送ローラの外側表面の実質的に全体が、写真用の媒体を把持するとともに引くように構成されている。
【０２１２】
本発明の第７０の局面に係る搬送機構は、第６９の局面に係る搬送機構において、前記搬送ローラが、低熱伝導率を有する高耐久性金属でできている。
【０２１３】
本発明の第７１の局面に係る搬送機構は、第７０の局面または第７１の局面に係る搬送機構において、前記搬送ローラの前記外側表面に、選別されたダイヤモンドチップが電気メッキされている。
【０２１４】
本発明の第７２の局面に係る搬送機構は、第６８の局面乃至第７２の局面のいずれか１の局面に係る搬送機構において、前記押圧ローラを前記搬送ローラに向けて付勢する弾性付勢手段を備える。
【０２１５】
本発明の第７３の局面に係る搬送機構は、第７２の局面に係る搬送機構において、前記押圧ローラが、共通の軸上に搭載された複数の自由回転ローラを備え、前記自由回転ローラは、それらの間に設けられた複数の弾性付勢により前記軸上で互いに離間されている。
【０２１６】
本発明の第７４の局面に係る搬送機構は、第６８の局面乃至第７３の局面のいずれか１の局面に係る搬送機構において、前記案内手段が１つ以上の供給ローラを備え、前記供給ローラの少なくとも１つおよび前記押圧ローラは、写真用の媒体が前記搬送ローラと点接触を成さないように、前記写真用の媒体を前記搬送ローラに供給するよう編成および構成されている。
【０２１７】
本発明の第７５の局面に係る搬送機構は、第７４の局面に係る搬送機構において、前記供給ローラおよび前記押圧ローラは、前記写真用の媒体が前記押圧ローラと９０度の接触をなすよう編成および構成されている。
【０２１８】
本発明の第７６の局面に係る搬送機構は、第６８の局面乃至第７５の局面のいずれか１の局面に係る搬送機構において、各格納キャニスタが、空隙と、前記搬送ローラにより写真用の媒体を引き出し可能な遮蔽された出口とを有する遮光筐体を備え；前記空隙が、写真用の媒体のロールを支持するとともに前記写真用の媒体を前記出口へ案内するための複数のローラを備える。
【０２１９】
本発明の第７７の局面に係る搬送機構は、第７６の局面に係る搬送機構において、前記ローラは、写真用の媒体を前記キャニスタ内に引き戻すように前記ローラ上に支持された写真用の媒体のロールを回転駆動可能なよう構成されている。
【０２２０】
本発明の第７８の局面に係る搬送機構は、第７７の局面に係る搬送機構において、前記ローラにはそれぞれ、前記ローラが写真用の媒体を前記キャニスタから前進させるか、前記キャニスタ内に引き入れるのに十分な把持力を提供するが、媒体の前記キャニスタ内への引き込みが妨げられる場合には前記ロールを前記ローラ上で滑らせることが可能な外側表面が設けられている。
【０２２１】
本発明の第７９の局面に係る搬送機構は、第７８の局面に係る搬送機構において、前記ローラを駆動するためのモータを備える。
【０２２２】
本発明の第８０の局面に係る搬送機構は、第７９の局面に係る搬送機構において、前記モータが前記コントローラにより制御される。
【０２２３】
本発明の第８１の局面に係る搬送機構は、第６８の局面乃至第８０の局面のいずれか１の局面に係る搬送機構において、前記回転を検出する手段は、前記搬送ローラと同期回転するよう構成されたスロット付きホイールと、前記ホイールの一方側上に設けられるとともに前記ホイールのスロットに照射するよう構成された発光器と、前記ホイールの他方側上に設けられるとともに前記発光器により発せられ前記ホイールの前記スロットを通過した光を検出するよう構成された光検出器とを備え；前記光検出器は、パルス信号を出力し、前記ホイールの所与の移動に対して生成されるパルスの数が、前記ホイールおよび搬送ローラによる回転の距離の測定値を提供するよう構成されている。
【０２２４】
本発明の第８２の局面に係る搬送機構は、第８１の局面に係る搬送機構において、単位時間当たりのパルス数の測定値により、前記ホイールおよび搬送ローラの回転速度の測定値が算出可能である。
【０２２５】
本発明の第８３の局面に係る搬送機構は、第８１の局面または第８２の局面に係る搬送機構において、前記搬送ローラが回転可能に搭載された  を備え；前記スロット付きホイールが、前記搬送ローラと同期回転可能に前記軸上に搭載されている。
【０２２６】
本発明の第８４の局面に係る搬送機構は、第８１の局面乃至第８３の局面のいずれか１の局面に係る搬送機構において、前記スロット付きホイールが、前記回転検出手段の角度分解能を向上させるように前記搬送ローラよりも大きい直径を有する。
【０２２７】
本発明の第８５の局面に係る搬送機構は、第６８の局面乃至第８４の局面のいずれか１の局面に係る搬送機構において、新しい媒体キャニスタの前記搬送機構への取り付けを検出するとともに、前記取り付けを示す信号を出力する手段を備える。
【０２２８】
本発明の第８６の局面に係る搬送機構は、第８０の局面に従属する第８５の局面に係る搬送機構において、  前記コントローラが、前記検出手段から前記信号を受信すると、  （ｉ）前記キャニスタモータおよび搬送ローラモータを動作させることにより、前記キャニスタローラおよび前記搬送ローラを回転して前記搬送機構において前記新しいキャニスタから前記印刷ヘッドアセンブリの下方を通って、そしてカッターアセンブリを通って、自由端に廃棄媒体片を含む所定の媒体片を引き出し、  （ｉｉ）前記廃棄媒体片が前記カッターアセンブリを通って前進したら、前記搬送ローラモータおよび前記キャニスタモータを停止させ、  （ｉｉｉ）前記カッターアセンブリを動作させることにより、前記媒体片を切断するとともに前記廃棄媒体片を廃棄し、  （ｉｖ）前記搬送ローラモータを動作させることにより、前記搬送ローラを逆駆動して前記写真用の媒体片を前記印刷ヘッドアセンブリに向けて引き、  （ｖ）前記写真用の媒体が前記印刷ヘッドアセンブリによる露光のため適正に位置合わせされると、前記搬送ローラモータの動作を停止させ、  （ｖｉ）前記キャニスタモータを動作させることにより、前記キャニスタローラを逆駆動して写真用の媒体に生じた弛みを除去するよう構成されている。
【０２２９】
本発明の第８７の局面に係る搬送機構は、第６８の局面乃至第８６の局面のいずれか１の局面に係る搬送機構において、前記搬送機構が遮光筐体内に設けられている。
【０２３０】
本発明の第８８の局面に係る搬送機構は、第６８の局面乃至第８７の局面のいずれか１の局面に係る搬送機構において、前記案内手段が、前記搬送機構を通る複数のチャネルを画成する手段を含み、前記チャネルのそれぞれが、別々の写真用の媒体片を受けることが可能である。
【０２３１】
本発明の第８９の局面に係る搬送機構は、第８８の局面に係る搬送機構において、前記各チャネルが、写真用の媒体の別々のキャニスタとインターフェイスするよう構成されている。
【０２３２】
本発明の第９０の局面に係る搬送機構は、第８８の局面に係る搬送機構において、前記チャネルを画成する手段は、１つの写真用の媒体片が、複数の前記チャネルの少なくとも一部を同時に通って受けられるよう構成されている。
【０２３３】
本発明の第９１の局面に係る搬送機構は、第９０の局面に係る搬送機構において、前記複数のチャネルが、単一の写真用の媒体キャニスタとインターフェイスするよう構成されている。
【０２３４】
本発明の第９２の局面に係る搬送機構は、第８９の局面または第９１の局面に係る搬送機構において、複数の前記チャネルとインターフェイスする写真用の媒体の前記単一のキャニスタは、前記複数のチャネルの１つとそれぞれインターフェイスする前記別々のキャニスタに収容された前記写真用の媒体よりも幅広の写真用の媒体を収容する。
【０２３５】
本発明の第９３の局面に係る搬送機構は、第８８の局面乃至第９２の局面のいずれか１の局面に係る搬送機構において、前記案内手段が２つのチャネルを画成し、前記搬送機構が２つのモードで動作可能である。
【０２３６】
本発明の第９４の局面に係る搬送機構は、第９３の局面に係る搬送機構において、前記第１のモードでは、前記案内手段が、前記チャネルのそれぞれの１つをそれぞれ通って２つの別々の写真用の媒体片を前記搬送ローラに供給するように構成されている。
【０２３７】
本発明の第９５の局面に係る搬送機構は、第９４の局面に係る搬送機構において、前記搬送ローラが、前記２つの写真用の媒体を露光のため印刷ヘッドアセンブリに提供し、それにより２つの画像を形成できる。
【０２３８】
本発明の第９６の局面に係る搬送機構は、第９１の局面乃至第９３の局面のいずれか１の局面に係る搬送機構において、前記第２のモードでは、前記案内手段が、前記チャネルの両方の少なくとも一部を同時に通って単一の写真用の媒体片を前記搬送ローラに供給するように構成されている。
【０２３９】
本発明の第９７の局面に係る搬送機構は、第９１の局面乃至第９６の局面のいずれか１の局面に係る搬送機構において、前記２つのチャネルのうちの第１のチャネルは、第１の幅までの幅を有する写真用の媒体を受けることが可能であるのみであり、前記チャネルのうちの第２のチャネルは、前記第１の動作モードでは、前記第１の幅までの幅を有する写真用の媒体を受けることが可能であるとともに、前記第２の動作モードでは、前記第１の幅よりも大きい第２の幅までの幅を有する写真用の媒体を受けることが可能である。
【０２４０】
本発明の第９８の局面に係る搬送機構は、第９７の局面に係る搬送機構において、前記第２の幅が前記第１の幅の概ね２倍である。
【０２４１】
本発明の第９９の局面に係る搬送機構は、第９０の局面乃至第９８の局面のいずれか１の局面に係る搬送機構において、前記搬送機構が、前記搬送機構のコンポーネントが搭載されたベースプレートを含み、前記第１モードでは、写真用の媒体の第１の供給が、前記プレートよりも上方から前記搬送機構に進入するとともに、写真用の媒体の第２の供給が、前記プレートよりも下方から前記搬送機構に進入する。
【０２４２】
本発明の第１００の局面に係る搬送機構は、第９９の局面に係る搬送機構において、前記第２のモードでは、前記写真用の媒体の第２の供給が、前記写真用の媒体の第１の供給から、媒体が前記写真用の媒体キャニスタから前記搬送機構を通って搬送される方向に対して横切る方向にオフセットされている。
【０２４３】
本発明の第１０１の局面に係るＴＰＣコンポーネントは、光学式プリンタ用であり、搬送、処理および切断するＴＰＣコンポーネントであって；第６８の局面乃至第８７の局面のいずれか１の局面に係る搬送機構と；第３５の局面乃至第４２の局面のいずれか１の局面に係る印刷ヘッドアセンブリと；カッターであって、写真用の媒体が前記搬送機構において前記印刷ヘッドアセンブリの下方を通過し、そして前記カッターを通過するように編成され、前記写真用の媒体を切断して露光済の媒体片を残りの未露光の媒体片から分離するように動作可能であるカッターとを備える。
【０２４４】
本発明の第１０２の局面に係るＴＰＣコンポーネントは、光学式プリンタ用であり、搬送、処理および切断するＴＰＣコンポーネントであって；第８８の局面乃至第１００の局面のいずれか１の局面に係る搬送機構と；第３５の局面乃至第４２の局面のいずれか１の局面に係る印刷ヘッドアセンブリと；カッターであって、写真用の媒体が、前記搬送機構において前記印刷ヘッドアセンブリの下方を通過し、前記カッターを通過するよう編成されたカッターと備え；前記カッタは、前記写真用の媒体を切断して１つ以上の露光済の媒体片を１つ以上の残りの未露光の媒体片から分離するように動作可能である。
【０２４５】
本発明の第１０３の局面に係るＴＰＣコンポーネントは、第１０２の局面に係るＴＰＣコンポーネントにおいて、前記印刷ヘッドアセンブリの前記印刷ヘッドが、前記少なくとも１つの写真用の媒体キャニスタから前記ＴＰＣコンポーネントを通って写真用の媒体が移動する方向に対して平行な方向に互いにオフセットされた２つの照射装置を備える。
【０２４６】
本発明の第１０４の局面に係るＴＰＣコンポーネントは、第９９の局面または第１００に従属する第１０２の局面または第１０３の局面に係るＴＰＣコンポーネントにおいて、前記印刷ヘッドアセンブリが、前記印刷ヘッドアセンブリの各パスにおいて２つの帯状体を印刷するよう構成され、各前記パスが、前記写真用の媒体の供給の両方を含む。
【０２４７】
本発明の第１０５の局面に係るＴＰＣコンポーネントは、第１０４の局面に係るＴＰＣコンポーネントにおいて、前記チャネルの１つが、前記露出済の媒体片の１つを選択的に通過させることにより前記第１および第２のチャネル間のパス長における差異を補償可能な遅延ループを含む。
【０２４８】
本発明の第１０６の局面に係るＴＰＣコンポーネントは、第１０５の局面に係るＴＰＣコンポーネントにおいて、前記遅延ループが、前記印刷ヘッドアセンブリと前記カッターとの間において前記２つのチャネルの一方に配置されている。
【０２４９】
本発明の第１０７の局面に係る光学式プリンタは、第１０１の局面乃至第１０６のいずれか１の局面に係るＴＰＣコンポーネントを備える。
【０２５０】
本発明の第１０８の局面に係る光学式プリンタは、第１０７の局面に係る光学式プリンタにおいて、更に、切断された露光済の媒体片を前記カッターから受け取るとともに、前記受け取った露光済の媒体片を現像して画像をあらわにするように編成された現像ユニットを備える。
【０２５１】
本発明の第１０９の局面に係る光学式プリンタ用のコンポーネントは、別々の媒体片のそれぞれを通過させることにより光源による露光が可能な複数の印刷チャネルを画成するよう構成および編成され、別々の媒体片を前記チャネルの２つ以上を通過させて前記光源により露光させることにより各媒体片上に画像を形成できるように、または単一の媒体片を前記チャネルの２つ以上を同時に通過させて前記光源により露光させることにより前記単一の媒体片上に単一の画像を形成できるように構成可能である。
【０２５２】
本発明の第１１０の局面に係る光学式プリンタ用のコンポーネントは、別々の媒体片を同時に通過させることが可能な少なくとも２つの印刷チャネルと；１つの印刷パスにおいて各前記チャネルにおける媒体片を露光させることにより各媒体片上に画像を形成できるよう構成された少なくとも１つの光学式印刷ヘッドとを有する。
【０２５３】
本発明の第１１１の局面に係る光学式プリンタ用の照明装置は、それぞれの概念線に沿って互いに直線的にオフセットされるように基板上でそれぞれの概念線に沿ってそれぞれ編成されたそれぞれ赤色、緑色および青色の照射素子アレイを備える光学式プリンタ用の照射装置であって；前記編成は、写真用の媒体の隣接帯状体を露光させるように前記照射装置を動作させたときに帯状体の重なりが生じた場合、前記重なりの結果前記アレイのそれぞれにより過剰に露光された前記写真用の媒体のそれぞれの領域が、互いに一致しないように成されている。
【０２５４】
本発明の第１１２の局面に係る光学式プリンタ用の照明装置は、それぞれの概念線に沿って互いに直線的にオフセットされるように基板上でそれぞれの概念線に沿ってそれぞれ編成されたそれぞれ赤色、緑色および青色の照射素子アレイを備える光学式プリンタ用の照射装置であって；前記編成は、写真用の媒体の隣接帯状体を露光させるように前記照射装置を動作させたときに帯状体間に間隙が生じた場合、前記アレイのいずれか１つにより露光された前記写真用の媒体の領域間に間隙が存在する前記写真用の媒体の第１の領域が、前記アレイのその他のものにより露光された前記写真用の媒体の領域間に間隙が存在する前記写真用の媒体の第２および第３の領域と一致しないように成されている。
【０２５５】
本発明の第１１３の局面に係る方法は、光学式プリンタを前記プリンタにより印刷された画像から較正する方法であって：（ｉ）前記プリンタの印刷ヘッドの各光学素子により前記画像になされた貢献を査定するステップと；（ｉｉ）各素子による貢献が互いに等しい状態に近づくように、前記プリンタで行う次の印刷のため各素子の貢献を調整するステップと；（ｉｉｉ）次の画像を印刷するステップと；（ｉｖ）前記画像が許容可能であるか判断するステップと；（ｖ）前記画像が許容可能でない場合、印刷された画像が許容可能であると判定されるまでステップ（ｉ）乃至（ｉｖ）を反復するステップとを備える。
本発明の第１１４の局面に係る光学式プリンタ用の照射装置は、  可視電磁スペクトルの赤色帯域内の光を発するようそれぞれ動作可能な複数の光源素子を備える第１の光源アレイと；  可視電磁スペクトルの青色帯域内の光を発するようそれぞれ動作可能な複数の光源素子を備える第２の光源アレイと；  可視電磁スペクトルの緑色帯域内の光を発するようそれぞれ動作可能な複数の光源素子を備える第３の光源アレイと；  前記第１、第２および第３の光源アレイが搭載された第１の表面を有する基板であって、前記第１の表面は、隣接した光源素子アレイ間の光反射を低減するように構成されている基板と；  複数の開口が設けられたマスクを備え、前記マスクは、前記光源素子アレイの前に配置され、前記アレイの前記開口が前記光源素子と概ね一致し、前記アレイからの光が前記マスクを透過できるように配置されている。
【図１】
0005645983.tif 000002
【図２（ａ）】
0005645983.tif 000003
【図２（ｂ）】
0005645983.tif 000004
【図２（ｃ）】
0005645983.tif 000005
【図３】
0005645983.tif 000006
【図４】
0005645983.tif 000007
【図５】
0005645983.tif 000008
【図６】
0005645983.tif 000009
【図７】
0005645983.tif 000010
【図８】
0005645983.tif 000011
【図９（ｂ）】
0005645983.tif 000012
【図１０】
0005645983.tif 000013
【図１１】
0005645983.tif 000014
【図１２】
0005645983.tif 000015
【図１３】
0005645983.tif 000016
【図１４】
0005645983.tif 000017
【図９（ａ）】
0005645983.tif 000018